(57)【要約】      （修正有）【課題】ポリシルールインストールおよび／または関係するベアラ変更手順での失敗を処理することを容易にする方法および装置を提供する。【解決手段】変更されたポリシルールのセットを、その施行および／またはデバイスのベアラとの相関のためにゲートウェイに提供する。ゲートウェイは、変更されたルールをインストールすることを試み、変更されたルールのインストールおよび／または関係するベアラ変更の状況について通知するためにクレジット制御要求（ＣＣＲ）／クレジット制御回答（ＣＣＡ）を利用する。ポリシ課金およびルール機能（ＰＣＲＦ）は、ＣＣＲ／ＣＣＡ交換に基づいて状況を判定できる。状況が失敗を示す場合に、ＰＣＲＦは、以前のポリシルールに戻る。さらに、アプリケーション機能に、状況について通知する。【選択図】図１
2014222915.tif 000002
【特許請求の範囲】
【請求項１】
ベアラ変更手順に少なくとも部分的に基づいてゲートウェイに１つまたは複数の変更されたポリシルールを提供することと、
前記ゲートウェイが前記１つまたは複数の変更されたポリシルールをインストールする前記ベアラ変更手順を成功裡に完了するかどうかを判定することと、
前記ゲートウェイが前記ベアラ変更手順を成功裡に完了するかどうかの前記判定に少なくとも部分的に基づいて前記１つまたは複数の変更されたポリシルールあるいは１つまたは複数の以前のポリシルールを利用することとを備える方法。
【請求項２】
前記１つまたは複数の変更されたポリシルールを要求する前記ゲートウェイからのクレジット制御要求（ＣＣＲ）を受信することをさらに備え、前記１つまたは複数の変更されたポリシルールの前記提供はクレジット制御回答（ＣＣＡ）で前記ゲートウェイに前記１つまたは複数のポリシルールを通信することを含む、請求項１に記載の方法。
【請求項３】
前記ゲートウェイで前記１つまたは複数の変更されたポリシルールをインストールすることに関係する前記ゲートウェイからの異種ＣＣＲを受信することをさらに備え、前記判定は前記異種ＣＣＲに少なくとも部分的に基づく、請求項２に記載の方法。
【請求項４】
前記異種ＣＣＲは前記１つまたは複数の以前のポリシルールを含む、請求項３に記載の方法。
【請求項５】
前記ゲートウェイに前記１つまたは複数の変更されたポリシルールを提供する時にタイマを初期化することをさらに備え、前記判定はクレジット制御要求ＣＣＲが前記タイマの満了の前に前記ゲートウェイでの前記１つまたは複数の変更されたポリシルールの受信に応答して前記ゲートウェイから受信されるかどうかを判定することに少なくとも部分的に基づく、請求項１に記載の方法。
【請求項６】
アプリケーション機能から新規サービス情報を受信することと、
前記新規サービス情報に少なくとも部分的に基づいて前記１つまたは複数の変更されたポリシルールを生成することとをさらに備える、請求項１に記載の方法。
【請求項７】
前記１つまたは複数の変更されたポリシルールが前記ゲートウェイでインストールに失敗したことを前記アプリケーション機能に通知することをさらに備え、前記判定は前記ゲートウェイが前記ベアラ変更手順を成功裡に完了しなかったことを判定することを含み、前記利用は前記１つまたは複数の以前のポリシルールを利用することを含む、請求項６に記載の方法。
【請求項８】
前記ベアラ変更手順が失敗する場合に実行すべき１つまたは複数のアクションを指定するルール挙動インジケータを前記アプリケーション機能から受信することをさらに備える、請求項７に記載の方法。
【請求項９】
前記ルール挙動インジケータを前記ゲートウェイに提供することをさらに備える、請求項８に記載の方法。
【請求項１０】
前記ルール挙動インジケータは、前記ベアラ変更手順が失敗する場合に前記変更されたルールの以前のバージョンに戻ることまたは前記変更されたルールの前記以前のバージョンを解放することを指定する、請求項８に記載の方法。
【請求項１１】
前記利用は、前記１つまたは複数の以前のポリシルールを利用することを含み、前記判定は前記ゲートウェイが前記ベアラ変更手順を成功裡に完了しなかったことを判定することを含む、請求項１に記載の方法。
【請求項１２】
前記１つまたは複数の以前のポリシルールを除去することをさらに備え、前記判定は前記ゲートウェイが前記ベアラ変更手順を成功裡に完了したことを判定することを含む、請求項１に記載の方法。
【請求項１３】
ベアラ変更手順に少なくとも部分的に基づいてゲートウェイに１つまたは複数の変更されたポリシルールを通信し、
前記ゲートウェイが成功裡に前記１つまたは複数の変更されたポリシルールをインストールし前記ベアラ変更手順を完了するかどうかを判定し、
前記ゲートウェイが成功裡に前記１つまたは複数の変更されたポリシルールをインストールし前記ベアラ変更手順を完了するかどうかに少なくとも部分的に基づいて、前記１つまたは複数の変更されたポリシルールあるいは１つまたは複数の以前のポリシルールを利用するように構成される少なくとも１つのプロセッサと、
前記少なくとも１つのプロセッサに結合されたメモリとを備えるワイヤレス通信装置。
【請求項１４】
ベアラ変更手順に少なくとも部分的に基づいてゲートウェイに１つまたは複数の変更されたポリシルールを提供するための手段と、
前記ゲートウェイが前記１つまたは複数の変更されたポリシルールをインストールする前記ベアラ変更手順を成功裡に完了するかどうかを判定するための手段と、
１つまたは複数の以前のポリシルールに戻るための手段とを備え、判定するための前記手段は前記ゲートウェイが前記ベアラ変更手順を成功裡に完了しなかったと判定する、装置。
【請求項１５】
ベアラ変更手順に少なくとも部分的に基づいてゲートウェイに１つまたは複数の変更されたポリシルールを通信することを少なくとも１つのコンピュータに行わせるコードと、
前記ゲートウェイが成功裡に前記１つまたは複数の変更されたポリシルールをインストールし前記ベアラ変更手順を完了するかどうかを判定することを前記少なくとも１つのコンピュータに行わせるコードと、
前記ゲートウェイが成功裡に前記１つまたは複数の変更されたポリシルールをインストールし前記ベアラ変更手順を完了するかどうかに少なくとも部分的に基づいて、前記１つまたは複数の変更されたポリシルールあるいは１つまたは複数の以前のポリシルールを利用することを前記少なくとも１つのコンピュータに行わせるコードとを備えるコンピュータ可読媒体を備えるコンピュータプログラム製品。
【請求項１６】
ベアラ変更手順に少なくとも部分的に基づいてゲートウェイに１つまたは複数の変更されたポリシルールを提供するルール提供コンポーネントと、
前記ゲートウェイが前記１つまたは複数の変更されたポリシルールをインストールする前記ベアラ変更手順を成功裡に完了するかどうかを判定する変更状況受信コンポーネントと、
１つまたは複数の以前のポリシルールに戻るルール戻しコンポーネントとを備え、前記変更状況受信コンポーネントは、前記ゲートウェイが前記ベアラ変更手順を成功裡に完了しなかったと判定する、装置。
【請求項１７】
前記ルール提供コンポーネントは、前記ベアラ変更手順の一部として前記ゲートウェイから受信されるクレジット制御要求（ＣＣＲ）に少なくとも部分的に基づいてクレジット制御回答（ＣＣＡ）内で前記ゲートウェイに前記１つまたは複数のポリシルールを提供する、請求項１６に記載の装置。
【請求項１８】
前記変更状況受信コンポーネントは、前記ゲートウェイでの前記１つまたは複数の変更されたポリシルールのインストールに関係する前記ゲートウェイからの異種ＣＣＲを入手し、前記異種ＣＣＲに少なくとも部分的に基づいて前記ゲートウェイが前記１つまたは複数の変更されたポリシルールをインストールする前記ベアラ変更手順を成功裡に完了するかどうかを判定する、請求項１７に記載の装置。
【請求項１９】
前記異種ＣＣＲは前記１つまたは複数の以前のポリシルールを含む、請求項１８に記載の装置。
【請求項２０】
前記変更状況受信コンポーネントは、ルール更新コンポーネントが前記１つまたは複数の変更されたポリシルールを前記ゲートウェイに提供する時にタイマを初期化し、クレジット制御要求（ＣＣＲ）が前記タイマの満了の前に受信されるかどうかに少なくとも部分的に基づいて前記ゲートウェイが前記１つまたは複数の変更されたポリシルールをインストールする前記ベアラ変更手順を成功裡に完了するかどうかを判定する、請求項１６に記載の装置。
【請求項２１】
アプリケーション機能から新規サービス情報を入手する新規サービス受信コンポーネントをさらに備え、前記ルール更新コンポーネントは、前記新規サービス情報に少なくとも部分的に基づいて前記１つまたは複数の変更されたポリシルールを生成する、請求項１６に記載の装置。
【請求項２２】
前記１つまたは複数の変更されたポリシルールのインストールが失敗する時に、前記アプリケーション機能に通知する変更状況通信コンポーネントをさらに備え、前記変更状況受信コンポーネントは、前記失敗の時に、前記ゲートウェイが前記ベアラ変更手順を成功裡に完了しなかったと判定する、請求項２１に記載の装置。
【請求項２３】
前記ベアラ変更手順が失敗する場合に実行すべき１つまたは複数のアクションを指定するルール挙動インジケータを前記アプリケーション機能から入手するルール挙動受信コンポーネントをさらに備える、請求項１６に記載の装置。
【請求項２４】
前記ルール挙動インジケータを前記ゲートウェイに通信するルール挙動指定コンポーネントをさらに備える、請求項２３に記載の装置。
【請求項２５】
前記ルール挙動インジケータは、前記ベアラ変更手順が失敗する場合に前記変更されたルールの以前のバージョンに戻ることまたは前記変更されたルールの前記以前のバージョンを解放することを指定する、請求項２４に記載の装置。
【請求項２６】
前記ルール戻しコンポーネントは、前記ゲートウェイが前記ベアラ変更手順を成功裡に完了したと判定する前記変更状況受信コンポーネントに少なくとも部分的に基づいて、前記１つまたは複数の以前のポリシルールを除去する、請求項１６に記載の装置。
【請求項２７】
ベアラ変更手順に少なくとも部分的に基づいてポリシ課金およびルール機能（ＰＣＲＦ）から１つまたは複数の変更されたポリシルールを受信することと、
前記ベアラ変更手順の一部として前記１つまたは複数の変更されたポリシルールをインストールすることを試みることと、
前記ベアラ変更手順が成功裡に完了したかどうかを示すために前記ＰＣＲＦにクレジット制御要求（ＣＣＲ）を送信することとを備える方法。
【請求項２８】
前記ベアラ変更手順の一部としてルール変更を要求するために前記ＰＣＲＦに異種ＣＣＲを送信することをさらに備え、前記１つまたは複数の変更されたポリシルールの前記受信は、対応するクレジット制御回答（ＣＣＡ）内で前記１つまたは複数の変更されたポリシルールを受信することを含む、請求項２７に記載の方法。
【請求項２９】
１つまたは複数の以前のポリシルールを含めるために前記ＣＣＲを生成することをさらに備える、請求項２７に記載の方法。
【請求項３０】
前記ベアラ変更手順が失敗する場合に実行すべき１つまたは複数のアクションを指定するルール挙動インジケータを受信することをさらに備える、請求項２７に記載の方法。
【請求項３１】
ベアラ変更手順に少なくとも部分的に基づいてポリシ課金およびルール機能（ＰＣＲＦ）から１つまたは複数の変更されたポリシルールを入手し、
前記ベアラ変更手順の一部として前記１つまたは複数の変更されたポリシルールをインストールし、
前記ベアラ変更手順が成功裡に完了したかどうかを示すために前記ＰＣＲＦにクレジット制御要求（ＣＣＲ）を送信するように構成された少なくとも１つのプロセッサと、
前記少なくとも１つのプロセッサに結合されたメモリとを備えるワイヤレス通信装置。
【請求項３２】
ベアラ変更手順に少なくとも部分的に基づいてポリシ課金およびルール機能（ＰＣＲＦ）から１つまたは複数の変更されたポリシルールを受信するための手段と、
前記ベアラ変更手順の一部として前記１つまたは複数の変更されたポリシルールをインストールすることを試みるための手段と、
前記ベアラ変更手順が成功裡に完了したかどうかを示すために前記ＰＣＲＦにクレジット制御要求（ＣＣＲ）を送信するための手段とを備える装置。
【請求項３３】
ベアラ変更手順に少なくとも部分的に基づいてポリシ課金およびルール機能（ＰＣＲＦ）から１つまたは複数の変更されたポリシルールを入手することを少なくとも１つのコンピュータに行わせるコードと、
前記ベアラ変更手順の一部として前記１つまたは複数の変更されたポリシルールをインストールすることを前記少なくとも１つのコンピュータに行わせるコードと、
前記ベアラ変更手順が成功裡に完了したかどうかを示すために前記ＰＣＲＦにクレジット制御要求（ＣＣＲ）を送信することを前記少なくとも１つのコンピュータに行わせるコードとを備えるコンピュータ可読媒体を備えるコンピュータプログラム製品。
【請求項３４】
ベアラ変更手順に少なくとも部分的に基づいてポリシ課金およびルール機能（ＰＣＲＦ）から１つまたは複数の変更されたポリシルールを入手するルール受信コンポーネントと、
前記ベアラ変更手順の一部として前記１つまたは複数の変更されたポリシルールをインストールすることを試みるルール変更コンポーネントと、
前記ベアラ変更手順が成功裡に完了したかどうかを示すために前記ＰＣＲＦにクレジット制御要求（ＣＣＲ）を送信する変更状況通信コンポーネントとを備える装置。
【請求項３５】
前記ルール受信コンポーネントは、ルール変更を要求する異種ＣＣＲに応答してクレジット制御回答（ＣＣＡ）内で前記１つまたは複数の変更されたポリシルールを受信する、請求項３４に記載の装置。
【請求項３６】
前記変更状況通信コンポーネントは、１つまたは複数の以前のポリシルールを含めるために前記ＣＣＲを生成する、請求項３４に記載の装置。
【請求項３７】
前記ベアラ変更手順が失敗する場合に実行すべき１つまたは複数のアクションを指定するルール挙動インジケータを入手するルール挙動受信コンポーネントをさらに備える、請求項３４に記載の装置。
【請求項３８】
デバイスから追加サービスまたは変更されたサービスに関する要求を受信することと、
前記要求に少なくとも部分的に基づいてポリシ課金およびルール機能（ＰＣＲＦ）の新規サービス情報を生成することと、
前記新規サービス情報に関係するベアラ変更手順が失敗する場合に行うべき１つまたは複数のアクションを指定するルール挙動インジケータと一緒に前記ＰＣＲＦに前記新規サービス情報を送信することとを備える方法。
【請求項３９】
前記ルール挙動インジケータは、前記ベアラ変更手順が失敗する場合に１つまたは複数の以前のポリシルールに戻ることを指定する、請求項３８に記載の方法。
【請求項４０】
前記ルール挙動インジケータは、前記ベアラ変更手順が失敗する場合に１つまたは複数の以前のポリシルールを解放することを指定する、請求項３８に記載の方法。
【請求項４１】
デバイスから追加サービスまたは変更されたサービスに関する要求を入手し、
前記要求に関係するリソースを提供することを容易にするためにポリシ課金およびルール機能（ＰＣＲＦ）の新規サービス情報を生成し、
前記新規サービス情報に関係するベアラ変更手順が失敗する場合に実行すべき１つまたは複数のアクションを指定するルール挙動インジケータと共に前記ＰＣＲＦに前記新規サービス情報を送信するように構成される少なくとも１つのプロセッサと、
前記少なくとも１つのプロセッサに結合されたメモリとを備えるワイヤレス通信装置。
【請求項４２】
デバイスからの追加サービスまたは変更されたサービスに関する要求に少なくとも部分的に基づいてポリシ課金およびルール機能（ＰＣＲＦ）に新規サービス情報を送信するための手段と、
前記新規サービス情報に関係するベアラ変更手順が失敗する場合に行うべき１つまたは複数のアクションを指定するルール挙動インジケータを前記ＰＣＲＦに送信するための手段とを備える装置。
【請求項４３】
デバイスから追加サービスまたは変更されたサービスに関する要求を入手することを少なくとも１つのコンピュータに行わせるコードと、
前記要求に関係するリソースを提供することを容易にするためにポリシ課金およびルール機能（ＰＣＲＦ）の新規サービス情報を生成することを前記少なくとも１つのコンピュータに行わせるコードと、
前記新規サービス情報に関係するベアラ変更手順が失敗する場合に実行すべき１つまたは複数のアクションを指定するルール挙動インジケータと共に前記ＰＣＲＦに前記新規サービス情報を送信することを前記少なくとも１つのコンピュータに行わせるコードと  を備えるコンピュータ可読媒体を備えるコンピュータプログラム製品。
【請求項４４】
デバイスからの追加サービスまたは変更されたサービスに関する要求に少なくとも部分的に基づいて、ポリシ課金およびルール機能（ＰＣＲＦ）に新規サービス情報を送信する新規サービス提供コンポーネントと、
前記新規サービス情報に関係するベアラ変更手順が失敗する場合に行うべき１つまたは複数のアクションを指定するルール挙動インジケータを前記ＰＣＲＦに送信するルール挙動指定コンポーネントとを備える装置。
【請求項４５】
前記ルール挙動インジケータは、前記ベアラ変更手順が失敗する場合に１つまたは複数の以前のポリシルールに戻ることを指定する、請求項４４に記載の装置。
【請求項４６】
前記ルール挙動インジケータは、前記ベアラ変更手順が失敗する場合に１つまたは複数の以前のポリシルールを解放することを指定する、請求項４４に記載の装置。
【発明の詳細な説明】
【関連出願】
【０００１】
米国特許法第１１９条の下での優先権の主張
本願は、２００９年８月１０日に出願され、本願の譲受人に譲渡され、参照によって本明細書に特に組み込まれる、「ＭＥＴＨＯＤ  ＡＮＤ  ＡＰＰＡＲＡＴＵＳ  ＦＯＲ  ＨＡＮＤＬＩＮＧ  ＰＯＬＩＣＹ  ＡＮＤ  ＣＨＡＲＧＩＮＧ  ＣＯＮＴＲＯＬ  ＲＵＬＥ  ＯＲ  ＱｏＳ  ＲＵＬＥ  ＭＯＤＩＦＩＣＡＴＩＯＮ  ＦＡＩＬＵＲＥＳ」という名称の米国仮出願第６１／２３２７２９号の優先権を主張するものである。
【技術分野】
【０００２】
以下の説明は、一般にワイヤレス通信に関し、特にポリシおよび課金制御（policy and charging control）（ＰＣＣ）および／またはサービス品質（ＱｏＳ）ルールの変更に関する。
【背景技術】
【０００３】
ワイヤレス通信システムは、例えば音声、データなどのような様々なタイプの通信コンテンツを提供するために広く展開されている。通常、ワイヤレス通信システムは、使用可能なシステムリソース（例えば、帯域幅、送信電力、…）を共有することによって、複数のユーザとの通信をサポート可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同等のものを含むことができる。さらに、システムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ  ｌｏｎｇ  ｔｅｒｍ  ｅｖｏｌｕｔｉｏｎ（ＬＴＥ）、ｕｌｔｒａ  ｍｏｂｉｌｅ  ｂｒｏａｄｂａｎｄ（ＵＭＢ）、ｅｖｏｌｕｔｉｏｎ  ｄａｔａ  ｏｐｔｉｍｉｚｅｄ（ＥＶ−ＤＯ）などの仕様に準拠できる。
【０００４】
一般に、ワイヤレス多元接続通信システムは、複数のモバイルデバイスの通信を同時にサポートできる。各モバイルデバイスは、順方向リンク上および逆方向リンク上の伝送を介して１つまたは複数の基地局と通信できる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスおよぴ基地局間の通信は、単入力単出力（ＳＩＳＯ）システム、多入力単出力（ＭＩＳＯ）システム、多入力多出力（ＭＩＭＯ）システムなどを介して確立できる。加えて、モバイルデバイスはピアツーピアワイヤレスネットワーク構成で他のモバイルデバイスと（かつ／または基地局が他の基地局と）通信できる。
【０００５】
加えて、ワイヤレスネットワーク内のデバイスは、ワイヤレスネットワークにアクセスするための認証および／または認可のために１つまたは複数のコアネットワークコンポーネントと通信できる。例えば、ポリシ課金およびルール機能（policy charging and rules function）（ＰＣＲＦ）は、１つまたは複数のデバイスのポリシ制御および課金（policy control and charging）（ＰＣＣ）ルール、サービス品質（ＱｏＳ）ルール、および／または同等のものを提供するためにコアネットワークコンポーネントのうちの１つまたは複数（例えば、インターネットプロトコル（ＩＰ）マルチメディアサブシステム（ＩＭＳ）など）内で実施できる。一例において、デバイスはそれと通信するためのワイヤレスネットワークにおいてベアラ(bearer)を確立でき、ＰＣＲＦはベアラを介して通信されるタイプデータ、このデバイスに関係する加入者情報、および／または同等のものに依存してベアラにポリシルール（例えば、ＰＣＣルール、ＱｏＳルールなど）を割り当てることができる。
【０００６】
ポリシルールは、１つまたは複数のゲートウェイによって実施可能なポリシ課金施行機能（policy charging and enforcement function）（ＰＣＥＦ）などのような１つまたは複数の異種コンポーネントによってベアラを介して施行できる。加えて、１つまたは複数のゲートウェイは、ベアラを管理し、および／またはベアラをベアラバインディングおよびイベント報告機能（bearer binding and event reporting function）（ＢＢＥＲＦ）および／または同等のもののようなポリシルールに相関させる他のコンポーネントを実施できる。ベアラ変更に伴い、ＰＣＲＦは変更されたポリシルールを生成したりそうでなければ受け取ったりでき、ベアラ上で施行するために１つまたは複数の異種コンポーネントに新しいポリシルールを提供できる。しかし、いくつかの場合に、１つまたは複数の異種コンポーネントが、変更されたポリシルールをインストールできなかったり、変更されたポリシルールに従うベアラの変更を完了できないことがある。
【発明の概要】
【０００７】
以下は、１つまたは複数の態様の基本的な理解を提供するためにこれら態様の単純化された概要を提示する。この概要は、予期される全態様の広範囲な概観ではなく、全態様の主要な要素もしくはクリティカルな要素を識別したり、任意のまたは全ての態様の範囲の輪郭を描いたりすることを意図しない。その唯一の目的は、後で提示されるより詳細な説明の前置きとして単純化された形式で１つまたは複数の態様についてのある概念を提示することである。
【０００８】
１つまたは複数の実施形態並びにその対応開示では、様々な態様が１つまたは複数のワイヤレスネットワークコンポーネントでのポリシおよび課金制御（ＰＣＣ）および／またはサービス品質（ＱｏＳ）ルールの変更失敗の処理を容易にすることに関連して説明される。例えば、ネットワークコンポーネントがベアラに関係するＰＣＣルールおよび／またはＱｏＳルールのような変更されたポリシルールをインストールすることに失敗する場合には、ポリシ課金およびルール機能（ＰＣＲＦ）が通知を受けて以前のポリシルールに戻ることができる。一例において、こうした通知は、変更されたポリシルールを実施することの成功または失敗を報告するメッセージを１つまたは複数のワイヤレスネットワークコンポーネントから受信することを必然的に伴うことができる。加えて、例えば、ＰＣＲＦは、ベアラの失敗や成功裡のポリシルール変更に関してアプリケーション機能に通知できる。
【０００９】
一態様によれば、ベアラ変更手順に少なくとも部分的に基づいてゲートウェイに１つまたは複数の変更されたポリシルールを提供することと、ゲートウェイが１つまたは複数の変更されたポリシルールをインストールするベアラ変更手順を成功裡に完了するかどうかを判定することとを含む方法が提供される。この方法は、ゲートウェイがベアラ変更手順を成功裡に完了するかどうかの判定に少なくとも部分的に基づいて１つまたは複数の変更されたポリシルールあるいは１つまたは複数の以前のポリシルールを利用することをも含む。
【００１０】
別の態様では、ベアラ変更手順に少なくとも部分的に基づいて１つまたは複数の変更されたポリシルールをゲートウェイに通信し、ゲートウェイが１つまたは複数の変更されたポリシルールを成功裡にインストールしてベアラ変更手順を完了するかどうかを判定するように構成される少なくとも１つのプロセッサを含むワイヤレス通信装置が提供される。この少なくとも１つのプロセッサは、ゲートウェイが１つまたは複数の変更されたポリシルールを成功裡にインストールしてベアラ変更手順を完了するかどうかに少なくとも部分的に基づいて、１つまたは複数の変更されたポリシルールあるいは１つまたは複数の以前のポリシルールを利用するようにさらに構成される。加えて、このワイヤレス通信装置はこの少なくとも１つのプロセッサに結合されたメモリを含む。
【００１１】
別の態様では、ベアラ変更手順に少なくとも部分的に基づいてゲートウェイに１つまたは複数の変更されたポリシルールを提供するための手段と、ゲートウェイが１つまたは複数の変更されたポリシルールをインストールするベアラ変更手順を成功裡に完了するかどうかを判定するための手段とを含む装置が提供される。この装置は、１つまたは複数の以前のポリシルールに戻るための手段をさらに含み、判定するための手段は、ゲートウェイがベアラ変更手順を成功裡に完了しなかったと判定する。
【００１２】
さらに、別の態様では、ベアラ変更手順に少なくとも部分的に基づいて１つまたは複数の変更されたポリシルールをゲートウェイに通信することを少なくとも１つのコンピュータに行わせるコードと、ゲートウェイが１つまたは複数の変更されたポリシルールを成功裡にインストールしてベアラ変更手順を完了するかどうかを判定することを少なくとも１つのコンピュータに行わせるコードとを有するコンピュータ可読媒体を含むコンピュータプログラム製品が提供される。このコンピュータ可読媒体は、ゲートウェイが１つまたは複数の変更されたポリシルールを成功裡にインストールしてベアラ変更手順を完了するかどうかに少なくとも部分的に基づいて、１つまたは複数の変更されたポリシルールあるいは１つまたは複数の以前のポリシルールを利用することを少なくとも１つのコンピュータに行わせるコードをさらに含む。
【００１３】
さらに、一態様では、ベアラ変更手順に少なくとも部分的に基づいて１つまたは複数の変更されたポリシルールをゲートウェイに提供するルール提供コンポーネントと、ゲートウェイが１つまたは複数の変更されたポリシルールをインストールするベアラ変更手順を成功裡に完了するかどうかを判定する変更状況(modifying status)受信コンポーネントとを含む装置が提供される。この装置は１つまたは複数の以前のポリシルールに戻るルール戻しコンポーネントをさらに含み、変更状況受信コンポーネントはゲートウェイがベアラ変更手順を成功裡に完了しなかったことを判定する。
【００１４】
別の態様によれば、ベアラ変更手順に少なくとも部分的に基づいてＰＣＲＦから１つまたは複数の変更されたポリシルールを受信することと、ベアラ変更手順の一部として１つまたは複数の変更されたポリシルールをインストールすることを試みることとを含む方法が提供される。この方法は、ベアラ変更手順が成功裡に完了したかどうかを示すためにＰＣＲＦにＣＣＲを送信することをさらに含む。
【００１５】
別の態様では、ベアラ変更手順に少なくとも部分的に基づいてＰＣＲＦから１つまたは複数の変更されたポリシルールを入手し、ベアラ変更手順の一部として１つまたは複数の変更されたポリシルールをインストールするように構成される少なくとも１つのプロセッサを含むワイヤレス通信装置が提供される。この少なくとも１つのプロセッサは、ベアラ変更手順が成功裡に完了したかどうかを示すためにＰＣＲＦにＣＣＲを送信するようにさらに構成される。加えて、このワイヤレス通信装置は、この少なくとも１つのプロセッサに結合されたメモリを含む。
【００１６】
別の態様では、ベアラ変更手順に少なくとも部分的に基づいてＰＣＲＦから１つまたは複数の変更されたポリシルールを受信するための手段と、ベアラ変更手順の一部として１つまたは複数の変更されたポリシルールをインストールすることを試みるための手段とを含む装置が提供される。この装置は、ベアラ変更手順が成功裡に完了したかどうかを示すためにＰＣＲＦにＣＣＲを送信するための手段をさらに含む。
【００１７】
さらに、別の態様では、ベアラ変更手順に少なくとも部分的に基づいてポリシ課金およびルール機能（ＰＣＲＦ）から１つまたは複数の変更されたポリシルールを入手することを少なくとも１つのコンピュータに行わせるコードと、ベアラ変更手順の一部として１つまたは複数の変更されたポリシルールをインストールすることを少なくとも１つのコンピュータに行わせるコードとを有するコンピュータ可読媒体を含むコンピュータプログラム製品が提供される。このコンピュータ可読媒体は、ベアラ変更手順が成功裡に完了したかどうかを示すためにＰＣＲＦにＣＣＲを送信することを少なくとも１つのコンピュータに行わせるコードをさらに含む。
【００１８】
さらに、一態様では、ベアラ変更手順に少なくとも部分的に基づいてＰＣＲＦから１つまたは複数の変更されたポリシルールを入手するルール受信コンポーネントと、ベアラ変更手順の一部として１つまたは複数の変更されたポリシルールをインストールすることを試みるルール変更コンポーネントとを含む装置が提供される。この装置は、ベアラ変更手順が成功裡に完了したかどうかを示すためにＰＣＲＦにＣＣＲを送信する変更状況通信コンポーネントをさらに含む。
【００１９】
別の例によれば、デバイスから追加サービスまたは変更されたサービスに関する要求を受信することと、この要求に少なくとも部分的に基づいてポリシ課金およびルール機能（ＰＣＲＦ）の新規サービス情報を生成することとを含む方法が提供される。この方法は、新規サービス情報に関係するベアラ変更手順が失敗する場合に行うべき１つまたは複数のアクションを指定するルール挙動インジケータと一緒にＰＣＲＦに新規サービス情報を送信することをも含む。
【００２０】
別の態様では、デバイスから追加サービスまたは変更されたサービスに関する要求を入手し、この要求に関係するリソースを提供することを容易にするためにＰＣＲＦの新規サービス情報を生成するように構成される少なくとも１つのプロセッサを含むワイヤレス通信装置が提供される。この少なくとも１つのプロセッサは、新規サービス情報に関係するベアラ変更手順が失敗する場合に行うべき１つまたは複数のアクションを指定するルール挙動インジケータと共にＰＣＲＦに新規サービス情報を送信するようにさらに構成される。加えて、このワイヤレス通信装置は、この少なくとも１つのプロセッサに結合されたメモリを含む。
【００２１】
別の態様では、デバイスからの追加サービスまたは変更されたサービスに関する要求に少なくとも部分的に基づいてＰＣＲＦに新規サービス情報を送信するための手段を含む装置が提供される。この装置は、新規サービス情報に関係するベアラ変更手順が失敗する場合に行うべき１つまたは複数のアクションを指定するルール挙動インジケータをＰＣＲＦに送信するための手段をさらに含む。
【００２２】
さらに、別の態様では、デバイスから追加サービスまたは変更されたサービスに関する要求を入手することを少なくとも１つのコンピュータに行わせるコードと、この要求に関係するリソースを提供することを容易にするためにＰＣＲＦの新規サービス情報を生成することを少なくとも１つのコンピュータに行わせるコードとを有するコンピュータ可読媒体を含むコンピュータプログラム製品が提供される。このコンピュータ可読媒体は、新規サービス情報に関係するベアラ変更手順が失敗する場合に行うべき１つまたは複数のアクションを指定するルール挙動インジケータと共にＰＣＲＦに新規サービス情報を送信することを少なくとも１つのコンピュータに行わせるコードをさらに含む。
【００２３】
さらに、一態様では、デバイスからの追加サービスまたは変更されたサービスに関する要求に少なくとも部分的に基づいてポリシ課金およびルール機能（ＰＣＲＦ）に新規サービス情報を送信する新規サービス提供コンポーネントを含む装置が提供される。この装置は、デバイスからの追加サービスまたは変更されたサービスに関する要求に少なくとも部分的に基づいてＰＣＲＦに新規サービス情報を送信する新規サービス提供コンポーネントをさらに含む。
【００２４】
前述並びに関係の目的の達成のために、１つまたは複数の態様が本明細書において後で十分に説明され、特に特許請求の範囲において指摘される特徴を備える。次の説明、並びに添付図面は、１つまたは複数の態様のある種の例示的特徴を詳細に示す。しかし、これら特徴は様々な態様の原理が採用される様々な方式のいくつかを示すのみであり、この説明はこうした全ての態様、並びにこれらの同等物を含むことを意図している。
【図面の簡単な説明】
【００２５】
開示の態様は、開示の態様を限定するためでなく例示するために提供される添付図面に関連して以下に説明され、この図面において、同様の符号が同様の要素を示す。
【図１】図１は、ワイヤレスネットワーク内で通信するデバイスのポリシルールを施行する例示的システムを示す。
【図２】図２は、ポリシルールインストールおよび／または関係するベアラ変更の状況(status)を示す例示的システムを示す。
【図３】図３は、ポリシルールインストールおよび／またはベアラ変更の状況についてアプリケーション機能に通知することを容易にする例示的システムを示す。
【図４】図４は、ネットワークコンポーネントの間でルール挙動インジケータを通信する例示的システムを示す。
【図５】図５は、ポリシルールインストールおよび／または関係するベアラ変更の状況を報告する例示的システムを示す。
【図６】図６は、タイマに従ってポリシルールインストールおよび／または関係するベアラ変更の状況を判定することを容易にする例示的システムを示す。
【図７】図７は、ポリシルールインストールおよび／またはベアラ変更の状況についてアプリケーション機能に通知することを容易にする例示的システムを示す。
【図８】図８は、ルール挙動インジケータを通信する例示的システムを示す。
【図９】図９は、ポリシルールインストールまたは関係するベアラ変更がゲートウェイで成功したかどうかを判定することに基づいて変更されたポリシルールまたは以前のポリシルールを利用することを容易にする例示的方法論を示す。
【図１０】図１０は、ポリシルールインストールおよび／または関係するベアラ変更が成功したかどうかを指定するクレジット制御要求（credit control request）（ＣＣＲ）を受信する例示的方法論を示す。
【図１１】図１１は、ポリシルールインストールおよび／またはベアラ変更が成功したかどうかを示すためのＣＣＲを送信することを容易にする例示的方法論を示す。
【図１２】図１２は、ルール挙動インジケータを送信する例示的方法論を示す。
【図１３】図１３は、失敗したポリシルールインストールおよび／またはベアラ変更の指示を受信した時に以前のポリシルールに戻ることを容易にする例示的システムを示す。
【図１４】図１４は、ルールインストールおよび／またはベアラ変更が成功したかどうかを示すためのＣＣＲを送信することを容易にする例示的システムを示す。
【図１５】図１５は、ルール挙動インジケータを送信する例示的システムを示す。
【図１６】図１６は、本明細書で述べられる様々な態様によるワイヤレス通信システムを示す。
【図１７】図１７は、本明細書で述べられる様々なシステムおよび方法に関連して使用できる例示的ワイヤレスネットワーク環境を示す。
【発明を実施するための形態】
【００２６】
様々な態様が、これから図面を参照して述べられる。次の記述では、説明のために、多数の特定の詳細が１つまたは複数の態様の完全な理解を提供するために示される。しかし、これら態様（１つまたは複数）がこうした特定の詳細なしに実践できることは明らかであろう。
【００２７】
本明細書でさらに述べられるように、デバイスまたは対応ベアラに関係するポリシルールは、変更されたポリシおよび課金制御（ＰＣＣ）、サービス品質（ＱｏＳ）、および／または同等のものを認めるために更新できる。ポリシおよび課金ルール機能（ＰＣＲＦ）は、変更されたルールの施行および／または特定のベアラとの関連付けのためにゲートウェイにその変更されたルールを提供できる。ゲートウェイが変更されたポリシルールを正しくインストールすることおよび／またはルールを考慮したベアラ変更を完了することに失敗する場合、ゲートウェイは、こうした失敗をＰＣＲＦに通信できる（一例において、クレジット制御要求（ＣＣＲ）／クレジット制御回答（credit control answer）（ＣＣＡ）交換の一部として）。従って、ＰＣＲＦは、変更されたルールを使用して継続すべきかポリシルールの以前のバージョンに戻るべきかのいずれであるのかを判定するためにこの指示を利用できる。
【００２８】
加えて、ＰＣＲＦは、失敗についてアプリケーション機能に通知でき、アプリケーション機能は失敗に応答してアクションを適宜行える（例えば、セッションを取り壊す、準最適ＱｏＳで継続する、以前のサービスに戻る、および／または同等のもの）。さらに、例えば、アプリケーションは、変更されたルールのインストールが失敗する場合にＰＣＲＦによって行われるべきアクションを指定できる。ＰＣＲＦは、例えば、指定されたアクションをゲートウェイに渡すこともできる。
【００２９】
本明細書で使用される時に、用語「コンポーネント」、「モジュール」、「システム」、および同等のものは、ハードウェア、ファームウェア、ハードウェアおよびソフトウェアの組合せ、ソフトウェア、または実行中のソフトウェアなどであるがこれらに限定されないコンピュータ関係のエンティティを含むことが意図されている。例えば、コンポーネントを、プロセッサ上で動作するプロセス、プロセッサ、オブジェクト、実行可能ファイル、実行のスレッド、プログラム、および／またはコンピュータであり得るが、これらであることに限定はされない。例えば、コンピューティングデバイス上で動作するアプリケーションとこのコンピューティングデバイスとの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。加えて、これらのコンポーネントは、様々なデータ構造をその上に格納した様々なコンピュータ可読媒体から実行できる。コンポーネントは、ローカルシステム内、分散システム内、および／または他のシステムを有するインターネットなどのネットワークにまたがる別のコンポーネントと信号によって相互作用するようなあるコンポーネントからのデータなど、１つまたは複数のデータパケットを有する信号によってなど、ローカルプロセスおよび／またはリモートプロセスによって通信できる。
【００３０】
さらに、様々な態様が有線端末またはワイヤレス端末であり得る端末に関連して本明細書で述べられる。端末は、システム、デバイス、加入者ユニット、加入者ステーション、移動局、モバイル、モバイルデバイス、リモートステーション、リモート端末、アクセス端末、ユーザ端末、端末、通信デバイス、ユーザエージェント、ユーザデバイス、またはユーザ機器（ＵＥ）と呼ばれることもできる。ワイヤレス端末は、セルラ電話機、衛星電話機、コードレス電話機、Ｓｅｓｓｉｏｎ  Ｉｎｉｔｉａｔｉｏｎ  Ｐｒｏｔｏｃｏｌ（ＳＩＰ）電話機、ｗｉｒｅｌｅｓｓ  ｌｏｃａｌ  ｌｏｏｐ（ＷＬＬ）ステーション、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な態様が基地局に関連して本明細書でのべられる。基地局は、ワイヤレス端末（１つまたは複数）と通信するのに利用でき、アクセスポイント、Ｎｏｄｅ  Ｂ、ｅｖｏｌｖｅｄ  Ｎｏｄｅ  Ｂ（ｅＮＢ）、またはある他の用語で呼ぶばれることもできる。
【００３１】
さらに、用語「ｏｒ（または／もしくは／あるいは）」は、排他的な「ｏｒ」ではなく包含的な「ｏｒ」を意味することが意図されている。すなわち、そうではないと指定されない限り、または文脈から明白でない限り、句「Ｘ  ｅｍｐｌｏｙｓ  Ａ  ｏｒ  Ｂ（ＸはＡまたはＢを使用する）」は、自然な包含的な組合せの全てを意味することが意図されている。すなわち、句「Ｘ  ｅｍｐｌｏｙｓ  Ａ  ｏｒ  Ｂ」は、Ｘ  ｅｍｐｌｏｙｓ  Ａ（ＸはＡを使用する）、Ｘ  ｅｍｐｌｏｙｓ  Ｂ（ＸはＢを使用する）、またはＸ  ｅｍｐｌｏｙｓ  ｂｏｔｈ  Ａ  ａｎｄ  Ｂ（ＸはＡとＢとの両方を使用する）のいずれによっても満足される。加えて、冠詞「ａ」と「ａｎ」とは、本願および添付の特許請求の範囲で使用される時に、そうではないと指定されない限り、または文脈から単数形を対象とすることが明白でない限り、一般に「ｏｎｅ  ｏｒ  ｍｏｒｅ（１つまたは複数）」を意味すると解釈されなければならない。
【００３２】
本明細書で述べられる技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用できる。用語「システム」と「ネットワーク」とは、しばしば入替可能に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などのような無線技術を実施できる。ＵＴＲＡは、Ｗｉｄｅｂａｎｄ−ＣＤＭＡ（Ｗ−ＣＤＭＡ）、並びにＣＤＭＡの他の変形形態を含む。さらに、ｃｄｍａ２０００は、ＩＳ−２０００標準規格、ＩＳ−９５標準規格、並びにＩＳ−８５６標準規格を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実施できる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などのような無線技術を実施できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンクでＯＦＤＭＡ、アップリンクでＳＣ−ＦＤＭＡを使用するＥ−ＵＴＲＡを使用するＵＭＴＳのリリースである。ＵＴＲＡ、Ｅ−ＵＴＲＡ、ＵＭＴＳ、ＬＴＥ、並びにＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。さらに、このようなワイヤレス通信システムは、さらに、無対無ライセンススペクトル、８０２．ｘｘワイヤレスＬＡＮ、ＢＬＵＥＴＯＯＴＨ(登録商標)、および任意の他の短距離または長距離のワイヤレス通信技法をしばしば使用するピアツーピア（例えば、モバイル対モバイル）アドホックネットワークシステムを含むことができる。
【００３３】
様々な態様または特徴が、複数のデバイス、コンポーネント、モジュール、および同等のものを含み得るシステムに関して提示される。この様々なシステムは追加のデバイス、コンポーネント、モジュールなどを含むことができ、かつ／または図面に関連して論じられるデバイス、コンポーネント、モジュールなどの全てを含まなくてもよいことを理解し、了解されたい。これらの手法の組合せが使用されることもできる。
【００３４】
図１を参照すると、ワイヤレスネットワーク内でデバイスのＰＣＣ、ＱｏＳ、および／または類似するポリシルールを実施し、施行するワイヤレス通信システム１００が示される。システム１００は、ネットワーク内のデバイスまたはデバイスとネットワークとの間で確立される対応するベアラに関係するポリシルール（例えば、ＰＣＣ、ＱｏＳ、または類似するルール）を生成したり、そうでなけれぱ受け取るＰＣＲＦ１０２を含む。システム１００は、デバイス１０６からワイヤレスネットワークの１つまたは複数のコンポーネント（例えば、サービングゲートウェイ（ＳＧＷ）、パケットデータネットワーク（ＰＤＮ）ゲートウェイ（ＰＧＷ）、および／またはＬＴＥ内の同等のものなど）へ通信を転送することを容易にするゲートウェイ１０４をも含む。ＰＣＲＦ１０２とゲートウェイ１０４とデバイス１０６との間の通信を容易にするために、追加のコンポーネントがシステム１００内に存在できることを了解されたい。例えば、デバイス１０６は、ゲートウェイ１０４へのアクセスを受信するために（例えば、１つもしくは複数の追加のアクセスポイントもしくはリレーノード、１つもしくは複数の追加のゲートウェイ、ピアツーピアモードの１つもしくは複数の追加のＵＥ、および／または同等のものを介して）アクセスポイント、ｅＮＢ、その他と直接に通信するワイヤレスデバイス、ＵＥ、その他であり得る。他の例では、デバイス１０６が、アクセスポイント、リレーノード、または他のデバイスであり得る。加えて、ゲートウェイ１０４とＰＣＲＦ１０２との間に複数のゲートウェイまたは他のコンポーネントが存在できることを了解されたい。
【００３５】
一例によれば、ＰＣＲＦ１０２は、インターネットプロトコル（ＩＰ）マルチメディアサブシステム（ＩＭＳ）またはワイヤレスネットワークの類似するコンポーネント内に実施することができ、ＰＣＲＦ１０２は、１つまたは複数のデバイスからのアクセスを制御するためにＩＭＳまたはワイヤレスネットワークの他のバックエンドコンポーネントのポリシを定義できる。例えば、デバイス１０６は、それを介してデータをワイヤレスネットワークからデバイス１０６に通信できるワイヤレスネットワーク内の１つまたは複数のベアラを確立することによって、ゲートウェイ１０４およびＰＣＲＦ１０２との通信を確立できる。ＰＣＲＦ１０２は、課金（例えば、毎分、毎キロバイトなど）、リソース制限またはリソース許容量（例えば、加入者および／または要求されるデータのタイプに関係する）、および／または同等のものなど、デバイス１０６の加入者固有またはデータ固有の情報をベアラに関連付けるポリシルールをベアラに割り当てることができる。
【００３６】
一例において、ゲートウェイ１０４は、デバイス１０６に関係するベアラに対してポリシルールを施行するのを助けることができるポリシ課金施行機能（ＰＣＥＦ）、ポリシルールに従ってデバイス１０６のベアラを変更できるベアラバインディングおよびイベント報告機能（ＢＢＥＲＦ）、および／または同等のものを実施できる。デバイス１０６が、ゲートウェイ１０４または１つもしくは複数の異種コンポーネントによって管理されるワイヤレスネットワーク内で複数のベアラを有することができ、ＰＣＲＦ１０２が、ゲートウェイ１０４が複数のベアラを管理するために少なくとも部分的に利用するポリシルールのセットを各ベアラに関連付けることができることを了解されたい。
【００３７】
一例において、ＰＣＲＦ１０２は、デバイス１０６に関係する１つまたは複数のベアラのポリシルールを変更できる。例えば、これは、デバイス１０６によって開始されるリソース変更手順（例えば、データを受信するためではなく音声呼のための音声ベアラになるようにベアラを変更すること）に少なくとも部分的に基づくものであり得る。ゲートウェイ１０４は関係する要求をデバイス１０６から受信でき、この要求をＰＣＲＦ１０２に転送できる。ＰＣＲＦ１０２が要求を認可する場合、ＰＣＲＦ１０２はベアラに関係するポリシルールを変更すると決定できる。ＰＣＲＦ１０２は、例えば、ベアラに関係するポリシルールを更新することができ、変更されたポリシルールまたは関係する情報をゲートウェイ１０４に提供できる。これは、ゲートウェイ１０４からＰＣＲＦ１０２への新しいポリシルールの要求のプルモードと呼ぶことができる。この例では、ゲートウェイ１０４が、変更されたポリシルールをインストールし、かつ／またはデバイス１０６に関係するベアラに相関させることができ（例えば、ＰＣＥＦ、ＢＢＥＲＦなどを使用して）、デバイス１０６からの通信についてポリシルールを施行できる。しかし、一例において、ゲートウェイ１０４は、変更されたポリシルールをインストールすることおよび／または関係するベアラ変更手順を完了することに失敗する可能性がある。この場合、ゲートウェイ１０４は、失敗についてＰＣＲＦ１０２に通知でき、ＰＣＲＦはＰＣＣ、ＱｏＳ、および／または他のポリシルールの以前のバージョンに戻ることができる。
【００３８】
一例において、ゲートウェイ１０４は、失敗したポリシルールインストールおよび／またはベアラ変更について通知するためにＰＣＲＦ１０２にメッセージを送信できる。これに関して、ＰＣＲＦ１０２は、メッセージを受信した時に、ポリシルールの以前のバージョンに戻ることができる。例えば、ゲートウェイ１０４は、成功裡のポリシルールインストールおよび／またはベアラ変更についてＰＣＲＦ１０２に通知することもでき、この場合に、ＰＣＲＦ１０２は変更されたポリシルールを利用し続けることができる。別の例では、ＰＣＲＦ１０２が変更されたポリシルールをゲートウェイ１０４に提供する時にタイマを初期化できる。ゲートウェイ１０４がタイマの満了の前にＰＣＲＦ１０２に失敗メッセージを送信しない場合には、ＰＣＲＦ１０２が変更されたルールを利用し続けることができる。同様に、別の例において、ＰＣＲＦ１０２は、ＰＣＲＦ１０２が成功裡のポリシルールインストールおよび／またはベアラ変更を示すメッセージをゲートウェイ１０４から受信しない場合にＰＣＲＦ１０２が以前のポリシルールに戻れるように、失敗したポリシルールインストールおよび／またはベアラ変更を示すためにタイマを利用できる。別の例において、ＰＣＲＦ１０２は、ベアラに関係するアプリケーション機能から受信した情報に少なくとも部分的に基づいてポリシルールを更新できる。この例では、ＰＣＲＦ１０２は、ポリシルールをゲートウェイ１０４に提供でき、これをプッシュモードと呼ぶことができ、ＰＣＲＦ１０２はゲートウェイ１０４から受信したポリシルールインストールおよび／またはベアラ変更の失敗および／または成功をアプリケーション機能に報告できる。
【００３９】
図２に移ると、ＰＣＣ、ＱｏＳ、および／または類似するルールの更新の失敗を処理する例示的ワイヤレス通信ネットワーク２００が示されている。ネットワーク２００は、説明されるように、デバイス１０６または関係するベアラの制御ポリシを実施するＰＣＲＦ１０２と、デバイス１０６とＰＣＲＦ１０２との間の通信を容易にし、ポリシ制御および／または同等のものを施行するゲートウェイ１０４とを含むことができる。さらに、説明されるように、ゲートウェイ１０４は、ＳＧＷ、ＰＧＷ、またはワイヤレスネットワーク内の他のゲートウェイであり得る。さらに、説明されるように、デバイス１０６は、ワイヤレスネットワーク内で通信し、ＰＣＲＦ１０２を介して認可されまたは認証される、ＵＥ、アクセスポイント、リレーノード、または他のデバイスなどのワイヤレスデバイスであり得る。
【００４０】
ＰＣＲＦ１０２は、ワイヤレスネットワーク内のデバイスおよび／またはこのベアラに関係する変更されたポリシルールのセットを生成したり、そうでなければ受け取るルール更新コンポーネント２０２と、デバイスが通信するゲートウェイに変更されたポリシルールを提供するルール提供コンポーネント２０４とを備えることができる。ＰＣＲＦ１０２は、さらに、少なくともゲートウェイが成功裡に変更されたポリシルールをインストールし、かつ／または関係するベアラ変更を完了したかどうかの指示を入手する変更状況受信コンポーネント２０６と、ゲートウェイが変更されたポリシルールのインストールおよび／または関係するベアラ変更の完了について失敗を示す場合にポリシルールを以前のバージョンに更新するルール戻しコンポーネント２０８とを備えることができる。
【００４１】
ゲートウェイ１０４は、例えば、変更されたポリシルールのセットをＰＣＲＦから入手するルール受信コンポーネント２１０と、デバイスおよび／または関係するベアラの変更されたポリシルールのセットをインストールするルール変更コンポーネント２１２とを備える。ゲートウェイ１０４は、デバイスから要求され得るベアラ変更を行うベアラ変更コンポーネント２１４と、変更されたポリシルールのインストールおよび／またはベアラの変更の状況(status)をＰＣＲＦに報告できる変更状況通信コンポーネント２１６とをも備えることができる。
【００４２】
一例によれば、説明されるように、ＰＣＲＦ１０２はデバイス１０６通信のためにワイヤレスネットワーク内で確立されるベアラのポリシルール（例えば、ＰＣＣ、ＱｏＳ、または類似するルール）を定義するか、そうでなけれぱ受け取ることができ、ゲートウェイ１０４はベアラのポリシルールを施行できる。ルール更新コンポーネント２０２はベアラに関係するポリシルールを変更できる。一例では、説明されるように、デバイス１０６がベアラまたは別のリソースのリソース変更手順をゲートウェイ１０４と共に開始するでき、ゲートウェイ１０４がこの要求をＰＣＲＦ１０２に転送できる。この例では、ＰＣＲＦ１０２が要求を認可する場合に、ルール更新コンポーネント２０２がベアラを介して送信されるデータのポリシを処理し、かつ／または適切に始めるために、この要求に少なくとも部分的に基づいてポリシルールを変更できる。例えば、ルール更新コンポーネント２０２は、ベアラにより多くのリソースを割り当てることを容易にするためにより高いＱｏＳのためのルールを定義し、追加の課金ポリシを定義し、かつ／または同等のものを行うことができる。さらに、例えば、ルール提供コンポーネント２０４は変更されたポリシルールをゲートウェイ１０４に送信できる。
【００４３】
一例では、ベアラ変更コンポーネント２１４は、ＰＣＲＦ１０２から変更されたポリシを受信する時（例えば、ＬＴＥで）、ＰＣＲＦ１０２からベアラ変更の認可を受信する時（例えば、ｅｖｏｌｖｅｄ  ｈｉｇｈ  ｒａｔｅ  ｐａｃｋｅｔ  ｄａｔａ（ｅＨＲＰＤ）で）などに、デバイス１０６のベアラ変更を開始できる。どちらの場合でも、例えば、ルール受信コンポーネント２１０は、説明されるように、ベアラに関係する変更されたポリシルールを入手することができ、ルール変更コンポーネント２１２はデバイス１０６のベアラの変更されたポリシルールをインストールしたり相関させたりすることを試みることができる。一例では、ルール変更コンポーネント２１２が変更されたポリシルールを正しくインストールすることに失敗する可能性がある。従って、ベアラ変更コンポーネント２１４も、ベアラ変更手順を完了することに失敗する可能性がある。別の例では、ベアラ変更コンポーネント３１４が他の理由でベアラ変更手順を完了することに失敗する可能性があることを了解されたい。どの場合でも、変更状況通信コンポーネント２１６は、ポリシルールがゲートウェイ１０４によって正しくインストールされなかったことおよび／またはベアラ変更手順が完了しなかったことをＰＣＲＦ１０２に示すことができ、ゲートウェイ１０４はポリシルールの以前のバージョンを使用し続けることができる。変更状況受信コンポーネント２０６はこの指示を入手でき、ルール戻しコンポーネント２０８はデバイス１０６のベアラについてポリシルールを以前のバージョンに更新できる。これに関して、ゲートウェイ１０４はベアラに対してルールの以前のバージョンを施行し続けることができる。
【００４４】
従って、一例では、ベアラ変更要求をデバイス１０６から受信した時に、ゲートウェイがベアラ変更を開始するためにＰＣＲＦ１０２にＣＣＲを送信できる。ルール更新コンポーネント２０２はベアラのポリシルールのセットを生成するか、そうでなければ受け取ることができ、ルール提供コンポーネント２０４は新しいポリシルールまたは関係する情報をＣＣＡ内でゲートウェイ１０４に送信できる。さらに、ルール戻しコンポーネント２０８は、インストールまたはベアラ変更がゲートウェイ１０４で失敗する場合に備えてポリシルールの以前のバージョンを格納できる。これに関し、例えば、ＰＣＲＦ１０２およびゲートウェイ１０４は、新しいポリシルールがゲートウェイ１０４で成功裡にインストールされたかどうかおよび／またはベアラ変更が成功裡に完了したか否かを示すために、他のＣＣＲ／ＣＣＡを交換できる。例えば、説明されるように、ルール変更コンポーネント２１２は変更されたポリシルールをインストールすることを試みることができ、ベアラ変更コンポーネント２１４はベアラ変更を完了することを試みることができる。
【００４５】
この例では、変更状況通信コンポーネント２１６が、一例で、変更されたポリシルールインストールおよび／またはベアラ変更の状況を示すＣＣＲをポリシルール動作の後にＰＣＲＦ１０２に送信できる。変更状況受信コンポーネント２０６は示された状況を入手できる。ゲートウェイ１０４が成功裡にポリシルールをインストールし、かつ／または状況がベアラ変更を完了したことを示す場合に、ルール戻しコンポーネント２０８が以前のポリシルールを削除できる。従って、ＰＣＲＦ１０２は、デバイス１０６に関係するベアラを介する通信のために、変更されたポリシルールを利用する。ポリシルールインストールおよび／またはベアラ変更がゲートウェイ１０４で失敗したことを状況が示す場合には、例えば、ルール戻しコンポーネント２０８がデバイス１０６に関係するベアラを介する通信のポリシルールの以前のバージョンにＰＣＲＦ１０２を戻すことができる。この例で、新しいポリシルールがインストールに失敗した（または、ベアラ変更が失敗した）ので、ゲートウェイ１０４はポリシルールの以前のバージョンを施行し続けることを了解されたい。どちらの場合でも、ルール提供コンポーネント２０４は状況指示の受信を肯定応答するＣＣＡをゲートウェイ１０４に送信できる。
【００４６】
別の例において、ルール戻しコンポーネント２０８は、ルール更新コンポーネント２０２がＰＣＲＦ１０２によって使用されるポリシルールを変更する時に、ポリシルールの以前のバージョンを格納しない。この例では、ポリシルールインストールまたはベアラ変更がゲートウェイ１０４で失敗する場合に、変更状況通信コンポーネント２１６がＰＣＲＦ１０２への示される失敗状況にポリシルールの以前のバージョンを含めることができる。変更状況受信コンポーネント２０６は失敗状況およびポリシルールの以前のバージョンを入手でき、ルール戻しコンポーネント２０８はＰＣＲＦ１０２のポリシルールを以前のバージョンに更新できる。
【００４７】
別の例では、ルール更新コンポーネント２０２がＰＣＲＦ１０２のポリシルールを変更する時にルール戻しコンポーネント２０８がポリシルールの以前のバージョンを格納してもしなくても、ルール戻しコンポーネント２０８は付加的にタイマを初期化できる（例えば、ルール更新コンポーネント２０２がベアラについてＰＣＲＦ１０２によって使用されるポリシルールを変更した後、ルール提供コンポーネント２０４が変更されたポリシルールをゲートウェイ１０４に送信した後など）。これに関し、ポリシルールインストールおよび／またはベアラ変更がゲートウェイ１０４で失敗する場合に、説明されるように、変更状況通信コンポーネント２１６はＣＣＲをＰＣＲＦ１０２に送信できる。変更状況受信コンポーネント２０６はこのＣＣＲを入手し、ゲートウェイ１０４での失敗と解釈でき（一例では、ＣＣＲの内容にかかわりなく）、ルール戻しコンポーネント２０８はＰＣＲＦ１０２のポリシルールを以前のバージョン（ＣＣＲに格納されたり受信されたりした）に更新する。
【００４８】
この例では、ゲートウェイ１０４が成功裡にポリシルールをインストールし、かつ／または成功裡にベアラを変更する場合に、ゲートウェイ１０４がＣＣＲをＰＣＲＦ１０２に送信しない。従って、変更状況受信コンポーネント２０６がゲートウェイ１０４からのＣＣＲを受信する前にルール戻しコンポーネント２０８のタイマが満了する場合に、ルール戻しコンポーネント２０８は、ゲートウェイ１０４でポリシルールが成功裡にインストールされ、ベアラが成功裡に変更されたと推測できる。従って、例えば、ルール戻しコンポーネント２０８がポリシルールの以前のバージョンを格納した場合に、ルール戻しコンポーネント２０８がこのポリシルールを削除できる。タイマは逆の場合にも利用でき、ゲートウェイ１０４が成功裡のルールインストールおよび／またはベアラ変更のときだけＣＣＲを送信し、ルール戻しコンポーネント２０８がタイマの満了の前にＣＣＲが受信される場合にだけ以前のポリシルールに戻ることを了解されたい。ルール戻しコンポーネント２０８は、構成されるかそうでなければ指定された値、過去の成功裡のポリシルールインストールおよび／またはベアラ変更に基づいて計算される値などに少なくとも部分的に基づいてタイマ値をセットできることを了解されたい。
【００４９】
図３を参照すると、ポリシルール変更の失敗についてアプリケーション機能に通知する例示的ワイヤレス通信ネットワーク３００が示される。ネットワーク３００は、説明されるように、デバイス（図示せず）またはそのベアラのポリシ制御を実施するＰＣＲＦ１０２を含むことができる。ネットワーク３００は、ＰＣＲＦ１０２（例えば、および／またはゲートウェイもしくは他のコアネットワークノード）を経由しデバイスにベアラを介してデータを通信するアプリケーション機能３０２を付加的に含む。アプリケーション機能３０２は、例えば、多数のデバイスにサービスするネットワークサーバまたは類似のコンポーネント上で動作でき、ＰＣＲＦ１０２はアプリケーション機能３０２に関するポリシ、ＱｏＳなどを制御できる。一例では、アプリケーション機能３０２がデバイスまたは関連するベアラのＰＣＣ、ＱｏＳ、または類似するルールを実施するためにＰＣＲＦにサービス情報を提供できる。
【００５０】
ＰＣＲＦ１０２は、ワイヤレスネットワーク内でベアラを介してデバイスと通信することに関係する１つまたは複数の新規サービスパラメータをアプリケーション機能から入手する新規サービス受信コンポーネント３０４と、１つまたは複数の新規サービスパラメータに少なくとも部分的に基づいてＰＣＲＦ１０２で１つまたは複数のポリシルールを変更するルール更新コンポーネント２０２と、ポリシルールを施行しかつ／またはポリシルールに従ってベアラを変更するためにＰＣＥＦおよび／またはＢＢＥＲＦを実施できるゲートウェイ（図示せず）に１つまたは複数の変更されたＰＣＣ、ＱｏＳ、または類似するポリシルールを送信するルール提供コンポーネント２０４とを備えることができる。ＰＣＲＦ１０２は、説明されるように、ポリシルールインストールおよび／またはベアラ変更がゲートウェイで成功したかどうかの指示を入手する変更状況受信コンポーネント２０６と、この指示をアプリケーション機能に通信する変更状況通信コンポーネント３０６と、ポリシルールインストールおよび／またはベアラ変更がゲートウェイで失敗したことを指示が指定する場合に１つまたは複数のＰＣＣ、ＱｏＳ、または類似するポリシルールを以前のバージョンに更新するルール戻しコンポーネント２０８とを備えることもできる。
【００５１】
アプリケーション機能３０２は、例えば、ワイヤレスネットワークのＰＣＲＦまたは他のコアコンポーネントに１つまたは複数の新規サービスパラメータを提供できる新規サービス提供コンポーネント３０８と、１つまたは複数の新規サービスパラメータに対応するポリシルールがＰＣＲＦおよび／または関係するノードで正しくインストールされたかどうかのＰＣＲＦからの指示を入手できる変更状況受信コンポーネント３１０とを備える。
【００５２】
一例によれば、アプリケーション機能３０２は、デバイスに関係する新規サービスパラメータを生成できる。例えば、デバイスは、アプリケーション機能に追加のまたは変更されたサービスを要求できる（例えば、以前にデバイスにオーディオをストリーミングしたアプリケーションにストリーミングビデオを要求するなど）。アプリケーション機能３０２は、この例において、アプリケーション機能３０２がこの要求に少なくとも部分的に基づいてデバイスに通信するために介するベアラに関係する１つまたは複数の新規サービスパラメータを作成できる。新規サービス提供コンポーネント３０８はこの１つまたは複数の新規サービスパラメータをＰＣＲＦ１０２に送信できる。新規サービスパラメータは、例えば、ベアラについて要求される追加のリソースもしくはＱｏＳ、要求されるサービスについてデバイスに課金するためのポリシ、および／または同等のものに関係することができる。新規サービス受信コンポーネント３０４は１つまたは複数の新規サービスパラメータを入手できる。一例では、新規サービス受信コンポーネント３０４が１つまたは複数の新規サービスパラメータの受信をアプリケーション機能３０２に肯定応答できる。
【００５３】
この例では、ルール更新コンポーネント２０２が、１つまたは複数の新規サービスパラメータに少なくとも部分的に基づいて、変更されたポリシルール（例えば、ＰＣＣ、ＱｏＳ、または類似するルール）のセットを生成できる。例えば、変更されたポリシルールは、要求されたサービスのために十分なＱｏＳを認めるように定義できる。ルール提供コンポーネント２０４は、説明されるように、ＰＣＥＦなどの施行機能、ＢＢＥＲＦなどのベアラ管理機能などを実施するゲートウェイまたは他のコンポーネントに変更されたポリシルールのセットを提供できる。さらに、説明されるように、変更状況受信コンポーネント２０６は、変更されたポリシルールのセットがゲートウェイで成功裡にインストールされたかどうか、デバイスに関係するベアラが変更されたポリシルールのセットを考慮して成功裡に変更されたかどうか、および／または同等のものの指示を入手できる。ポリシルールインストールおよび／またはベアラ変更がゲートウェイで失敗した（従って、ゲートウェイがその代わりに古いポリシルールを利用できる）ことを指示が指定する場合には、説明されるように、ルール戻しコンポーネント２０８がＰＣＲＦ１０２のポリシルールをポリシルールの以前のバージョン（説明されるように、ルール戻しコンポーネント２０８で格納されたか指示で受信されることが可能である）に更新できる。
【００５４】
さらに、この例では、変更状況通信コンポーネント３０６が１つまたは複数の新規サービスパラメータに関係する変更されたポリシルールのセットを利用する際の失敗についてアプリケーション機能３０２に通知できる。変更状況受信コンポーネント３１０はこの通知をＰＣＲＦ１０２から入手でき、アプリケーション機能３０２はこの通知に従ってアクションを行うことができる。例えば、アプリケーション機能３０２が以前のサービス情報を格納し、かつ／または事前条件タイプの機構を使用する場合に、アプリケーション機能３０２はこの通知を受信した時に以前のサービス情報を利用できる。事前条件タイプの機構が使用されない場合、例えば、アプリケーション機能３０２はデバイスとの通信セッションを取り壊し、準最適ＱｏＳを使用して新規サービス情報を用いて継続し、かつ／または同等のものを行うことができる。別の例では、変更状況通信コンポーネント３０６が成功裡のポリシルールインストールおよび／またはベアラ変更についてアプリケーション機能３０２に通知することもできる（例えば、説明されるように、ゲートウェイからこのような指示を受信するかどうか、または逆の指示を受信しないことに基づいてこのように推論する）ことを了解されたい。
【００５５】
ここで図４に移ると、ポリシルールインストールおよび／または関係するベアラ変更の失敗に関係するルール挙動インジケータを通信する例示的ワイヤレス通信ネットワーク４００が示される。ネットワーク４００は、説明されるように、デバイス（図示せず）またはそのベアラのポリシ制御を実施するＰＣＲＦ１０２を含むことができる。ネットワーク４００は、説明されるように、ＰＣＲＦ１０２およびゲートウェイ１０４を経由しデータをベアラを介してデバイスに通信するアプリケーション機能３０２を付加的に含む。アプリケーション機能３０２は、例えば、多数のデバイスにサービスでき、ＰＣＲＦ１０２はアプリケーション機能３０２のポリシ、ＱｏＳなどを制御できる。ゲートウェイ１０４はベアラ上でポリシ制御を施行することができ、かつ／またはＰＣＲＦ１０２から受信したポリシルールに基づいてベアラの確立および変更を処理できる。一例では、アプリケーション機能３０２がデバイスまたは関係するベアラのポリシルールを実施するためにＰＣＲＦ１０２にサービス情報を提供できる。
【００５６】
ＰＣＲＦ１０２は、変更されたポリシルールのセットのインストールまたは関係するベアラ変更がゲートウェイで失敗する場合に以前のポリシルール（例えば、ＰＣＣ、ＱｏＳ、または類似するルール）を解放すべきなのか利用すべきなのかの指示を入手できるルール挙動受信コンポーネント４０２と、類似する指示をゲートウェイに転送しまたは通信するルール挙動指定コンポーネント４０４とを備えることができる。ＰＣＲＦ１０２は、ポリシルールインストール失敗またはベアラ変更失敗の通知をゲートウェイから受信した時にＰＣＲＦ１０２をポリシルールの以前のバージョンに更新できるルール戻しコンポーネント２０８と、ポリシルールの以前のバージョンを解放できるルール除去コンポーネント４０６とを付加的に備える。
【００５７】
アプリケーション機能３０２は、ポリシルールのセットの以前のバージョンを解放するのか利用するのかをＰＣＲＦに示すルール挙動指定コンポーネント４０８を含むことができる。ゲートウェイ１０４は、例えば、変更されたポリシルールのセットのインストールまたは関係するベアラ変更がゲートウェイ１０４で失敗する場合に以前のポリシルールを解放すべきなのか利用すべきなのかの指示を入手するルール挙動受信コンポーネント４１０と、ポリシルールの以前のバージョンを施行するルール戻しコンポーネント４１２と、ポリシルールの以前のバージョンを解放するルール除去コンポーネント４１４とを備える。
【００５８】
一例によれば、説明されるように、アプリケーション機能３０２は、デバイスからの要求されたサービス追加、変更などに少なくとも部分的に基づいて、新規サービス情報を実施できる。加えて、ルール挙動指定コンポーネント４０８は、新規サービス情報に対処するためにポリシルールをインストールできない（例えば、かつ／またはベアラを成功裡に変更できない）場合に期待される挙動の指示をＰＣＲＦ１０２に提供できる。例えば、この指示は、ポリシルールのインストールまたは関係するベアラ変更が失敗する場合に、ポリシルールの以前のバージョンを利用すべきなのか解放すべきなのかを指定できる。ルール挙動指定コンポーネント４０８は、最初に接続する時に、別々のメッセージおよび／または同等のものとして、新規サービス情報と共にＰＣＲＦ１０２に指示を提供できる。どの場合でも、ルール挙動受信コンポーネント４０２は指示を入手できる。
【００５９】
例えば、ルール挙動インジケータは、変更されたポリシルールインストールおよび／または関係するベアラ変更失敗の時にポリシルールの以前のバージョンを利用するように指定できる。従って、例えば、ゲートウェイ１０４が、変更されたポリシルールのセットのインストールまたは関係するベアラ変更が失敗したことを報告する場合に、上で説明したように、ルール戻しコンポーネント２０８はＰＣＲＦ１０２をポリシルールの以前のバージョンに更新できる。加えて、上で説明したように、ＰＣＲＦ１０２は、失敗についてアプリケーション機能３０２に通知できる。別の例において、ルール除去コンポーネント４０６は、ポリシルールの以前のバージョンを解放することを、ゲートウェイ１０４からの失敗を受信しルール挙動インジケータがそれを行うことを指定することに伴って行える。これに関し、ＰＣＲＦ１０２はルール挙動インジケータによって示される実質的に全ての他のアクションを実行できる。
【００６０】
さらに、ルール挙動指定コンポーネント４０４は、ルール挙動インジケータまたは類似する指示をゲートウェイ１０４に転送したり送信したりできる。これは、一例において、上で説明したように変更されたルールのセットと共に送信できる。ルール挙動受信コンポーネント４１０はこの指示を入手できる。同様に、この指示がインストールまたは関係するベアラ変更の失敗に伴ってポリシルールの以前のバージョンに戻ることを指定し、ゲートウェイ１０４が変更されたポリシルールのセットを成功裡にインストールすることやベアラを変更することに失敗する場合、ルール戻しコンポーネント４１２はポリシルールの以前のバージョンを使用し続けることができる。加えて、ゲートウェイ１０４は失敗についてＰＣＲＦ１０２に通知でき、ルール除去コンポーネント４０６は同様にポリシルールの以前のバージョンに戻ることなどできる。この指示が失敗のときにポリシルールの以前のバージョンを解放することを指定する場合、ルール除去コンポーネント４１４は、例えば、ポリシルールの以前のバージョンを非アクティブ化し、それに関係するリソースを解放できる。
【００６１】
図５を参照すると、ＰＣＲＦとＰＣＥＦ／ＢＢＥＲＦとの間でポリシルールを更新する際の失敗を処理することを容易にする例示的ワイヤレス通信システム５００が示される。システム５００は、複数のネットワークノードを介してアプリケーション機能３０２と通信できるＵＥ５０２を含む。例えば、ＵＥ５０２は、上で説明したように、コアワイヤレスネットワーク内の１つまたは複数のベアラを介して、ＰＣＥＦ／ＢＢＥＲＦ５０４、その他を実施するゲートウェイのような１つまたは複数のコアネットワークコンポーネントへのアクセスを容易にできる、１つまたは複数のｅＮＢを介してコアワイヤレスネットワークに接続できる。加えて、システム５００は、ベアラを介して通信するためのポリシルール（例えば、ＰＣＣ、ＱｏＳ、および／または他のルール）を定義できるＰＣＲＦ１０２を含み、ＰＣＥＦ５０４はポリシルールを施行できる。さらに、ＢＢＥＲＦ５０４はＵＥ５０２のコアネットワークベアラを管理できる。
【００６２】
一例によれば、ＵＥ５０２は、要求されるサービスまたはベアラに対する変更、所望のＱｏＳ、および／または同等のものを含み得る要求をＰＣＥＦ／ＢＢＥＲＦ５０４に送信することによってリソース変更５０６を開始できる。ＰＣＥＦ／ＢＢＥＲＦ５０４は、この変更要求を伴うＣＣＲ５０８をＰＣＲＦ１０２に送信することによって、この要求についてＰＣＲＦ１０２に通知できる。ＰＣＲＦ１０２は、説明されるように、５１０で、更新されたポリシルールのセットを導出することができ、古いポリシルールを格納できる。加えて、ＰＣＲＦ１０２は、ＣＣＡ５１２内で更新されたポリシルールをＰＣＥＦ／ＢＢＥＲＦ５０４に送信できる。ＰＣＥＦ５０４は更新されたポリシルールをインストールすることを試みることができ、ＢＢＥＲＦ５０４は更新されたポリシルールを考慮してベアラ更新を完了することを試みることができる。一例では、５１４に示されるように、ポリシルールの更新が成功でき、ＰＣＥＦ／ＢＢＥＲＦ５０４が肯定応答するためにＣＣＲ５１６を送信することによって成功裡のポリシルール更新についてＰＣＲＦ１０２に通知できる。この例では、ＰＣＲＦ１０２が以前に格納された場合に古いポリシルールを解放できる５１８。ＰＣＲＦ１０２は、付加的にＣＣＡ５２０をＰＣＥＦ／ＢＢＥＲＦ５０４に送信することによって、ＣＣＲの受信を肯定応答できる。
【００６３】
ポリシルール（またはポリシルールの異なるセット）の更新は、５２２に示されように失敗する可能性があり、古いポリシルールが保たれ得る。この例では、ＰＣＥＦ／ＢＢＥＲＦ５０４がエラーおよび／またはポリシルールの古いセットを示すＣＣＲ５２４をＰＣＲＦ１０２に送信できる。ＰＣＲＦ１０２は、説明されるように、格納されたポリシルールを入手することによるのであれＣＣＲ５２４で古いポリシルールを受信することによるのであれ、古いポリシルールに戻る５２６ことができる。ＰＣＲＦ１０２は、説明されるように、ＰＣＥＦ／ＢＢＥＲＦ５０４にＣＣＡ５２８を送信することによってＣＣＲ５２４の受信を肯定応答できる。
【００６４】
図６を参照すると、タイマに基づいてポリシルール更新の失敗を処理することを容易にする例示的ワイヤレス通信システム６００が示される。システム６００は、複数のネットワークノードを介してアプリケーション機能３０２と通信できるＵＥ５０２を含む。例えば、説明されるように、ＵＥ５０２は、コアワイヤレスネットワーク内の１つまたは複数のベアラを介して、ＰＣＥＦ／ＢＢＥＲＦ５０４を実施するゲートウェイ、その他のような１つまたは複数のコアネットワークコンポーネントへのアクセスを容易にできる、１つまたは複数のｅＮＢを介してコアワイヤレスネットワークに接続できる。加えて、説明されるように、システム６００はベアラを介して通信するためのポリシルール（例えば、ＰＣＣ、ＱｏＳ、および／または他のルール）を定義できるＰＣＲＦ１０２を含み、ＰＣＥＦ５０４はポリシルールを施行できる。さらに、ＢＢＥＲＦ５０４はＵＥ５０２のコアネットワークベアラを管理できる。
【００６５】
一例によれば、ＵＥ５０２は、要求されるサービスまたはベアラに対する変更、所望のＱｏＳ、および／または同等のものを含み得る要求をＰＣＥＦ／ＢＢＥＲＦ５０４に送信することによって、リソース変更５０６を開始できる。ＰＣＥＦ／ＢＢＥＲＦ５０４は、この変更要求を伴うＣＣＲ５０８をＰＣＲＦ１０２に送信することによって、この要求についてＰＣＲＦ１０２に通知できる。ＰＣＲＦ１０２は、説明されるように、６０２で、更新されたポリシルールのセットを導出することができ、古いポリシルールを格納でき、かつ／あるいはＰＣＣ、ＱｏＳ、および／もしくは他のポリシルールインストールまたは関係するベアラ更新が成功するかどうかの判定に関係するタイマを開始できる。ＰＣＲＦ１０２は、ＣＣＡ５１２内で更新されたポリシルールをＰＣＥＦ／ＢＢＥＲＦ５０４に送信できる。ＰＣＥＦ５０４は更新されたポリシルールをインストールすることを試みることができ、ＢＢＥＲＦ５０４は更新されたポリシルールを考慮してベアラ更新を完了することを試みることができる。一例では、５１４に示されるように、ポリシルールの更新が成功でき、ＰＣＥＦ／ＢＢＥＲＦ５０４はこの場合にＰＣＲＦ１０２に通知することに関して何もすることができない。タイマは満了でき６０４、ＰＣＲＦ１０２はポリシルールインストールおよび／または関係するベアラ更新がＰＣＥＦ／ＢＢＥＲＦ５０４で成功したと推定できる。
【００６６】
ポリシルール（またはポリシルールの異なるセット）の更新は、５２２に示されように失敗する可能性があり、古いポリシルールが保たれ得る。この例では、ＰＣＥＦ／ＢＢＥＲＦ５０４がエラーおよび／またはポリシルールの古いセットを示すＣＣＲ５２４をＰＣＲＦ１０２に送信できる。ＰＣＲＦ１０２は、説明されるように、タイマを停止し、格納されたポリシルールを入手することによるのであれＣＣＲ５２４で古いポリシルールを受信することによるのであれ、古いポリシルールに戻る６０６ことができる。ＰＣＲＦ５２８は、説明されるように、ＰＣＥＦ／ＢＢＥＲＦ５０４にＣＣＡ５２８を送信することによってＣＣＲ５２４の受信を肯定応答できる。
【００６７】
図７を参照すると、ＰＣＲＦからＰＣＥＦ／ＢＢＥＲＦにプッシュされるポリシルール更新の失敗を処理することを容易にする例示的ワイヤレス通信システム７００が示される。システム７００は複数のネットワークノードを介してアプリケーション機能３０２と通信できるＵＥ５０２を含む。例えば、説明されるように、ＵＥ５０２は、コアワイヤレスネットワーク内の１つまたは複数のベアラを介して、ＰＣＥＦ／ＢＢＥＲＦ５０４を実施するゲートウェイ、その他のような１つまたは複数のコアネットワークコンポーネントへのアクセスを容易にできる、上で説明した１つまたは複数のｅＮＢを介してコアワイヤレスネットワークに接続できる。加えて、説明されるように、システム７００は、ベアラを介して通信するためのポリシルール（例えば、ＰＣＣ、ＱｏＳ、および／または他のルール）を定義できるＰＣＲＦ１０２を含み、ＰＣＥＦ５０４はポリシルールを施行できる。さらに、ＢＢＥＲＦ５０４はＵＥ５０２のコアネットワークベアラを管理できる。
【００６８】
一例によれば、ＵＥ５０２は、アプリケーション機能３０２と新規サービス情報とをネゴシエートできる７０２。説明されるように、例えば、ＵＥ５０２は、アプリケーション機能３０２に付加的あるいは変更されたサービスを要求できる。アプリケーション機能３０２は、例えば、それに応答して、新規サービス情報を含む認証および認可要求（ＡＡＲ）７０４をＰＣＲＦ１０２に送信できる。ＰＣＲＦ１０２は、新規サービス情報を認可し７０６、新規サービス情報の認可を肯定応答するために認証および認可回答（ＡＡＡ）７０８をアプリケーション機能３０２に送信できる。その後、ＰＣＲＦ１０２は、新規サービス情報に基づいて更新されたポリシルールを導出し、古いポリシルールを格納できる７１０。ＰＣＲＦ１０２は更新されたポリシルールを含む再認可要求（ＲＡＲ）をＰＣＥＦ／ＢＢＥＲＦ５０４に送信できる７１２。
【００６９】
上で説明したように、ＰＣＥＦ／ＢＢＥＲＦ５０４は、更新されたポリシルールのインストールおよび／または更新されたポリシルールを考慮したベアラ変更の完了に成功あるいは失敗する可能性がある。ポリシルールの更新は７１４に示されるように成功でき、ＰＣＥＦ／ＢＢＥＲＦ５０４は成功を示す再認可回答（ＲＡＡ）７１６をＰＣＲＦ１０２に送信できる。ＰＣＲＦ１０２は、格納されていれば古いポリシルールを解放できる７１８。ポリシルールの更新が代わって７２０に示されるように失敗でき、古いポリシルールが保たれる。この例では、ＰＣＥＦ／ＢＢＥＲＦ５０４がエラーを報告するＲＡＡ７２２をＰＣＲＦ１０２に送信できる。例えば、このＲＡＡ７２２は、ポリシルールインストールおよび／またはベアラ変更が失敗したことを示すことができる。ＰＣＲＦ１０２は、この場合に古いポリシルールに戻ることができ７２４、エラーを示すＲＡＲ７２６をアプリケーション機能３０２に送信できる。アプリケーション機能３０２は、ＲＡＡ７２８を用いてＲＡＲ７２６の受信を肯定応答できる。アプリケーション機能３０２は、説明されるように、セッションを取り壊す、準最適ＱｏＳで継続する、以前のサービス情報かつ／または同等のものに戻るなど、指示されたエラーを受信することに基づいて１つまたは複数のアクションを行える。
【００７０】
図８を参照すると、ＰＣＲＦからＰＣＥＦ／ＢＢＥＲＦにプッシュされるポリシルール更新の失敗を処理することを容易にする例示的ワイヤレス通信システム８００が示される。システム８００は、複数のネットワークノードを介してアプリケーション機能３０２と通信できるＵＥ５０２を含む。例えば、説明されるように、ＵＥ５０２は、コアワイヤレスネットワーク内の１つまたは複数のベアラを介して、ＰＣＥＦ／ＢＢＥＲＦ５０４を実施するゲートウェイなどのような１つまたは複数のコアネットワークコンポーネントへのアクセスを容易にできる、上で説明した１つまたは複数のｅＮＢを介してコアワイヤレスネットワークに接続できる。加えて、説明されるように、システム８００は、ベアラを介して通信するためのポリシルール（例えば、ＰＣＣ、ＱｏＳ、および／または他のルール）を定義できるＰＣＲＦ１０２を含み、ＰＣＥＦ５０４はポリシルールを施行できる。さらに、ＢＢＥＲＦ５０４はＵＥ５０２のコアネットワークベアラを管理できる。
【００７１】
一例によれば、ＵＥ５０２は、アプリケーション機能３０２と新規サービス情報をネゴシエートできる７０２。説明されるように、例えば、ＵＥ５０２は、アプリケーション機能３０２に追加のまたは変更されたサービスを要求できる。アプリケーション機能３０２は、例えば、それに応答して、新規サービス情報およびルール挙動インジケータを含むAAR８０２をＰＣＲＦ１０２に送信できる。ルール挙動インジケータは、新規サービス情報に従うためのポリシルールの更新が失敗する場合にアプリケーション機能３０２によって期待されるＰＣＲＦ１０２でのアクションに関係できる。ＰＣＲＦ１０２は、新規サービス情報を認可し７０６、新規サービス情報の認可を肯定応答するためにＡＡＡ７０８をアプリケーション機能３０２に送信できる。その後、ＰＣＲＦ１０２は、新規サービス情報に基づいて更新されたポリシルールを導出し、ルール挙動指示８０４に依存して古いポリシルールを格納したり格納しなかったりできる。ＰＣＲＦ１０２は、更新されたポリシルールおよび／またはルール挙動インジケータ８０６を含むＲＡＲをＰＣＥＦ／ＢＢＥＲＦ５０４に送信できる。
【００７２】
上で説明したように、ＰＣＥＦ／ＢＢＥＲＦ５０４は、更新されたポリシルールのインストールおよび／または更新されたポリシルールを考慮したベアラ変更の完了に成功しまたは失敗する可能性がある。ポリシルールの更新は７１４に示されるように成功でき、ＰＣＥＦ／ＢＢＥＲＦ５０４は成功を示すＲＡＡ７１６をＰＣＲＦ１０２に送信できる。ＰＣＲＦ１０２はルール挙動インジケータに依存して、格納されていれば古いポリシルール８０８を解放できる。ポリシルールの更新は、代わって８１０に示されるように失敗でき、古いポリシルールがルール挙動インジケータに基づいて保たれる。例えば、ルール挙動インジケータがエラーのときに古いポリシルールを格納することを指定する場合、ＰＣＥＦ／ＢＢＥＲＦ５０４はそれを行うことができる。この例では、ＰＣＥＦ／ＢＢＥＲＦ５０４がエラーを報告するＲＡＡ７２２をＰＣＲＦ１０２に送信できる。例えば、ＲＡＡ７２２はポリシルールインストールおよび／またはベアラ変更が失敗したことを示すことができる。ＰＣＲＦ１０２は、この場合ルール挙動インジケータ８１２に依存して古いポリシルールに戻ったり古いポリシルールを解放したりでき、エラーを示すＲＡＲ７２６をアプリケーション機能３０２に送信できる。アプリケーション機能３０２は、ＲＡＡ７２８を用いてＲＡＲ７２６の受信を肯定応答できる。従って、この例では、ＰＣＲＦ１０２とＰＣＥＦ／ＢＢＥＲＦ５０４とが、不成功のポリシルールインストールおよび／または関係するベアラ変更の場合に、アプリケーション機能３０２によって要求された通りに振る舞う。
【００７３】
図９〜１２を参照すると、ポリシルールインストールでの失敗を処理することに関係する例示的方法論が示される。説明の単純さのために、方法論が、一連の行為として図示され、説明されるが、いくつかの行為が、１つまたは複数の実施形態によれば図示され本明細書で説明されるものとは異なる順序でおよび／または他の行為と同時に発生し得るので、方法論が、行為の順序によって限定されないことを理解されたい。例えば、当業者は、方法論を、その代わりに状態図でなど、一連の相互に関係する状態またはイベントとして表すことができることを理解し、了解するであろう。さらに、図示された行為の一部が、１つまたは複数の実施形態による方法論の実施に必要ではない場合がある。
【００７４】
図９に移ると、変更されたポリシルールのインストールまたは関係するベアラ変更手順の完了がゲートウェイで成功したかどうかに基づいてポリシルールを利用することを容易にする例示的方法論９００が示される。９０２では、１つまたは複数の変更されたポリシルールがベアラ変更手順に少なくとも部分的に基づいてゲートウェイに提供できる。例えば、説明されるように、ベアラ変更手順は関係するベアラの追加サービスを要求するデバイス、デバイスまたは関係するベアラの新規サービス情報を提供するアプリケーション機能、および／または同等のものによって開始されることができる。加えて、ポリシルールは、追加のリソースを可能にするため、課金ルールを変更するため、または同等のもののために、ルールの以前のバージョンを変更できる。９０４では、ゲートウェイが１つまたは複数の変更されたポリシルールをインストールするベアラ変更手順を成功裡に完了するかどうかを判定できる。例えば、これは、説明されるように、タイマ、その他に基づくことができる、ベアラ変更が成功裡に完了したか否かを示すゲートウェイからの指示（例えば、ＣＣＲ内の）を受信することを含むことができる。９０６では、ゲートウェイがベアラ変更手順を成功裡に完了するかどうかの判定に少なくとも部分的に基づいて、１つもしくは複数の変更されたポリシルールまたは１つもしくは複数の以前のポリシルールを利用できる。例えば、ゲートウェイがベアラ変更手順を成功裡に完了しない場合には、１つまたは複数の以前のポリシルールを利用できる。一例では、説明されるように、１つまたは複数の以前のポリシルールを、１つまたは複数の変更されたポリシルールを提供する時に格納でき、かつ／またはゲートウェイがこのように提供される場合に１つまたは複数の以前のポリシルールを指示に含めることができる。
【００７５】
図１０を参照すると、ポリシルールインストールおよび／または関係するベアラ変更手順の失敗および／または成功を通信するためにＣＣＲ／ＣＣＡ交換を使用する例示的方法論１０００が示される。１００２では、ＰＣＥＦ／ＢＢＥＲＦからのルール変更の要求を含むＣＣＲが受信できる。１００４では、対応するＣＣＡ内で変更されたルールがＰＣＥＦ／ＢＢＥＲＦに送信されることができる。１００６では、１つもしくは複数の変更されたルールが成功裡にインストールされたかどうかおよび／またはベアラ変更が成功裡に完了したかどうかの指示を備える異種ＣＣＲが受信できる。従って、説明されるように、異種ＣＣＲは、ＰＣＥＦ／ＢＢＥＲＦが成功裡にルールをインストールし、かつ／または関係するベアラ変更手順を完了したかどうかを判定するために、失敗もしくは成功の指示を含むことができ、タイマの満了の前に受信されるかどうかを判定するために評価されることができ、かつ／あるいは同等のものを行うことができる。
【００７６】
ここで図１１に移ると、ポリシルールインストールの失敗および／または成功を示すことを容易にする例示的方法論１１００が示される。１１００では、１つまたは複数の変更されたポリシルールがベアラ変更手順に少なくとも部分的に基づいてＰＣＲＦから受信できる。一例では、ルール変更が手順の一部、デバイスに関する新規サービスに対処するためのＰＣＲＦへのアプリケーションからの要求、および／または同等のものとして要求されることができる。１１０４では、１つまたは複数の変更されたポリシルールのインストールがベアラ変更手順の一部として試みられることができる。１１０６では、ベアラ変更手順が成功裡に完了したかどうかを示すＣＣＲをＰＣＲＦに送信できる。例えば、これは、ルールが成功裡にインストールされるかどうかの指示を含むことができる。これに関して、ＰＣＲＦは、指示に少なくとも部分的に基づいて適当なアクションを行うことができる。加えて、説明されるように、一例では、ルール挙動インジケータが１つまたは複数の変更されたルールと共に受信されることができ、関係するアクションが１つまたは複数の変更されたポリシルールのインストールおよび／またはベアラ変更手順が失敗する場合に行われることができる。
【００７７】
図１２を参照すると、ベアラ変更手順が失敗する時に行うべきアクションを指定するために新規サービス情報と共にルール挙動インジケータを提供することを容易にする例示的方法論１２００が示される。１２０２では、追加のまたは変更されたサービスに関する要求がデバイスから受信できる。１２０４では、新規サービス情報が、要求に少なくとも部分的に基づいてＰＣＲＦについて生成できる。説明されるように、新規サービス情報は、新規サービスについて要求される追加のリソース、更新された課金情報などを示すことができる。１２０６では、新規サービス情報がルール挙動インジケータと一緒にＰＣＲＦに送信できる。従って、説明されるように、ベアラ変更手順が失敗する場合に、ＰＣＲＦは、例えば、ルール挙動インジケータによって指定されるアクションを実行できる。
【００７８】
本明細書で説明される１つまたは複数の態様によれば、説明されるように、ルールインストールまたは関連するベアラ変更が失敗するのか成功するのかの判定および／または同等のものに関する推論を行うことができることを了解されたい。本明細書で使用される時に、用語「推論する」または「推論」は、一般に、イベントおよび／またはデータを介して取り込まれた観察のセットからシステム、環境、および／またはユーザの状態について推理しまたは推論するプロセスを指す。例えば、推論を、特定の文脈またはアクションを識別するのに使用することができ、あるいは、推論は、状態にまたがる確率分布を生成できる。推論は、確率的、すなわち、データとイベントとの考慮に基づく関心を持たれている状態にまたがる確率分布の計算であり得る。推論は、イベントおよび／またはデータのセットからより高いレベルのイベントを構成するのに使用される技法を指すこともできる。このような推論は、イベントが近い時間的近接で相関するか否かにかかわりなく、イベントとデータとが１つまたは複数のイベントソースとデータソースとに由来するかどうかにかかわりなく、観察されたイベントおよび／または格納されたイベントデータのセットからの新しいイベントまたはアクションの構成をもたらす。
【００７９】
図１３を参照すると、変更されたルールのインストールが失敗する時に以前のポリシルールに戻るシステム１３００が示されている。例えば、システム１３００は、基地局、モバイルデバイスなどの中に少なくとも部分的に存在できる。システム１３００が、機能ブロックを含むものとして表され、この機能ブロックは、プロセッサ、ソフトウェア、またはこれらの組合せ（例えば、ファームウェア）によって実施される機能を表す機能ブロックであり得ることを了解されたい。システム１３００は、関連して働くことができる電気コンポーネントの論理グループ化１３０２を含む。例えば、論理グループ化１３０２は、ベアラ変更手順に少なくとも部分的に基づいてゲートウェイに１つまたは複数の変更されたポリシルールを提供する電気コンポーネント１３０４を含むことができる。例えば、説明されるように、ベアラ変更手順を、関係するデバイスからの要求に少なくとも部分的に基づいてゲートウェイによって開始できる。別の例では、変更されたポリシルールを、アプリケーション機能から受信された新規サービス情報に少なくとも部分的に基づいてゲートウェイによって提供できる。さらに、論理グループ化１３０２は、ゲートウェイが１つまたは複数の変更されたポリシルールをインストールするベアラ変更手順を成功裡に完了するかどうかを判定する電気コンポーネント１３０６を備えることができる。
【００８０】
説明されるように、例えば、電気コンポーネント１３０６は、ベアラ変更手順および／または関連する変更されたルールインストールの状況を示すＣＣＲをゲートウェイから受信すること、タイマの満了の前にこのような指示を受信すること、および／または同等のものに少なくとも部分的に基づいて、ゲートウェイがベアラ変更手順を成功裡に完了するかどうかを判定できる。さらに、論理グループ化１３０２は、１つまたは複数の以前のポリシルールに戻る電気コンポーネント１３０８を備えることができる。説明されるように、電気コンポーネント１３０８は、ルールインストールまたは関係するベアラ変更手順がゲートウェイで失敗したことの判定に少なくとも部分的に基づいて、戻ることができる。さらに、システム１３００は、電気コンポーネント１３０４と１３０６と１３０８とに関連する機能を行う命令を保持するメモリ１３１０を含むことができる。メモリ１３１０の外部にあるものとして図示されているが、電気コンポーネント１３０４と１３０６と１３０８とのうちの１つまたは複数がメモリ１３１０内に存在できることを理解されたい。
【００８１】
図１４を参照すると、変更されたルールインストールおよび／または関係するベアラ変更手順の状況をＰＣＲＦに示すシステム１４００が示される。例えば、システム１４００は、基地局、モバイルデバイスなどの中に少なくとも部分的に存在できる。システム１４００が、機能ブロックを含むものとして表され、この機能ブロックが、プロセッサ、ソフトウェア、またはその組合せ（例えば、ファームウェア）によって実施される機能を表す機能ブロックであり得ることを了解されたい。システム１４００は、関連して働くことができる電気コンポーネントの論理グループ化１４０２を含む。例えば、論理グループ化１４０２は、ベアラ変更手順に少なくとも部分的に基づいてＰＣＲＦから１つまたは複数の変更されたポリシルールを受信する電気コンポーネント１４０４を含むことができる。例えば、説明されるように、ベアラ変更手順を、関係するデバイスからの要求に少なくとも部分的に基づいて、ＰＣＲＦでアプリケーション機能から新規サービス情報を受信することに基づいてなどで、開始できる。さらに、論理グループ化１４０２は、ベアラ変更手順の一部として１つまたは複数の変更されたポリシルールをインストールすることを試みる電気コンポーネント１４０６を備えることができる。さらに、論理グループ化１４０２は、ベアラ変更手順が成功裡に完了したかどうかを示すためのＰＣＲＦにＣＣＲを送信する電気コンポーネント１４０８を備えることができる。さらに、システム１４００は、電気コンポーネント１４０４と１４０６と１４０８とに関連する機能を実行する命令を保持するメモリ１４１０を含むことができる。メモリ１４１０の外部にあるものとして図示されているが、電気コンポーネント１４０４と１４０６と１４０８とのうちの１つまたは複数がメモリ１４１０内に存在できることを理解されたい。
【００８２】
図１５を参照すると、ルール挙動インジケータをＰＣＲＦに提供するシステム１５００が示される。例えば、システム１５００は、基地局、モバイルデバイスなどの中に少なくとも部分的に存在できる。システム１５００が、機能ブロックを含むものとして表され、この機能ブロックが、プロセッサ、ソフトウェア、またはその組合せ（例えば、ファームウェア）によって実施される機能を表す機能ブロックであり得ることを了解されたい。システム１５００は、関連して働くことができる電気コンポーネントの論理グループ化１５０２を含む。例えば、論理グループ化１５０２は、デバイスからの追加のまたは変更されたサービスに関する要求に少なくとも部分的に基づいてＰＣＲＦに新規サービス情報を送信する電気コンポーネント１５０４を含むことができる。例えば、説明されるように、新規サービス情報は、説明されるように、新しいまたは変更されたサービスのために要求される追加のリソース、追加の課金ポリシ、および／または同等のものに関係することができる。さらに、論理グループ化１５０２は、新規サービスに関係するベアラ変更手順が失敗する場合に行うべき１つまたは複数のアクションを指定するルール挙動インジケータをＰＣＲＦに送信する電気コンポーネント１５０６を備えることができる。従って、説明されるように、ＰＣＲＦは、指定された挙動を実行し、インジケータをＰＣＥＦ／ＢＢＥＲＦに送信し、かつ／または同等のものを行うのに、このインジケータを利用できる。さらに、システム１５００は、電気コンポーネント１５０４と１５０６とに関連する機能を実行する命令を保持するメモリ１５０８を含むことができる。メモリ１５０８の外部にあるものとして図示されているが、電気コンポーネント１５０４と１５０６とのうちの１つまたは複数がメモリ１５０８内に存在できることを理解されたい。
【００８３】
ここで図１６を参照すると、本明細書で提示される様々な実施形態によるワイヤレス通信システム１６００が示されている。システム１６００は、複数のアンテナグループを含むことができる基地局１６０２を備える。例えば、１つのアンテナグループは、アンテナ１６０４と１６０６とを含むことができ、別のアンテナグループは、アンテナ１６０８と１６１０とを備えることができ、追加のグループは、アンテナ１６１２と１６１４とを含むことができる。２つのアンテナが、アンテナグループごとに示されているが、グループごとにより多数またはより少数のアンテナを利用できる。基地局１６０２は、さらに、送信器チェーンと受信器チェーンとを含むことができ、送信器チェーンと受信器チェーンとのそれぞれは、当業者が了解するように、信号送信と信号受信とに関連する複数のコンポーネント（例えば、プロセッサ、変調器、マルチプレクサ、復調器、デマルチプレクサ、アンテナなど）を備えることができる。
【００８４】
基地局１６０２は、モバイルデバイス１６１６およびモバイルデバイス１６２２などの１つまたは複数のモバイルデバイスと通信できるが、基地局１６０２が、モバイルデバイス１６１６と１６２２とに類似する、実質的に任意の台数のモバイルデバイスと通信できることを了解されたい。モバイルデバイス１６１６と１６２２とは、例えば、セルラ電話機、スマートホン、ラップトップ機、ハンドヘルド通信デバイス、ハンドヘルドコンピューティングデバイス、衛星ラジオ、全地球測位システム、ＰＤＡ、および／またはワイヤレス通信システム１６００を介して通信するための任意の他の適切なデバイスであり得る。図示されているように、モバイルデバイス１６１６は、アンテナ１６１２および１６１４と通信し、アンテナ１６１２と１６１４とは、順方向リンク１６１８を介してモバイルデバイス１６１６に情報を送信し、逆方向リンク１６２０を介してモバイルデバイス１６１６から情報を受信する。さらに、モバイルデバイス１６２２は、アンテナ１６０４および１６０６と通信し、アンテナ１６０４と１６０６とは、順方向リンク１６２４を介してモバイルデバイス１６２２に情報を送信し、逆方向リンク１６２６を介してモバイルデバイス１６２２から情報を受信する。例えば、周波数分割複信（ＦＤＤ）システムでは、順方向リンク１６１８は、逆方向リンク１６２０によって使用されるものとは異なる周波数帯を利用することができ、順方向リンク１６２４は、逆方向リンク１６２６によって使用されるものとは異なる周波数帯を使用できる。さらに、時分割複信（ＴＤＤ）システムでは、順方向リンク１６１８と逆方向リンク１６２０とが、共通の周波数帯を利用することができ、順方向リンク１６２４と逆方向リンク１６２６とが、共通の周波数帯を利用できる。
【００８５】
アンテナの各グループおよび／またはそれらのアンテナが通信するように指定される区域を、基地局１６０２のセクタと呼ぶことができる。例えば、アンテナグループを、基地局１６０２によってカバーされる区域のセクタ内のモバイルデバイスと通信するように設計できる。順方向リンク１６１８と１６２４とを介する通信では、基地局１６０２の送信アンテナは、モバイルデバイス１６１６と１６２２とに関する順方向リンク１６１８と１６２４との信号対雑音比を改善するためにビームフォーミングを利用できる。また、基地局１６０２が、関連するカバレージを介してランダムに散乱したモバイルデバイス１６１６と１６２２とに送信するのにビームフォーミングを利用する間に、隣接するセル内のモバイルデバイスは、全てのモバイルデバイスに単一のアンテナを介して送信する基地局と比較して、より少ない干渉を受ける可能性がある。さらに、モバイルデバイス１６１６と１６２２とは、図示のようにピアツーピア技術またはアドホック技術を使用してお互いと直接に通信できる。一例によれば、システム１６００は、多入力他出力（ＭＩＭＯ）通信システムであり得る。
【００８６】
図１７に、例示的ワイヤレス通信システム１７００を示す。ワイヤレス通信システム１７００は、簡潔さのために１つの基地局１７１０と１つのモバイルデバイス１７５０とを示す。しかし、システム１７００が、複数の基地局および／または複数のモバイルデバイスを含むことができ、ここで、追加の基地局および／またはモバイルデバイスは、下で説明する例示的な基地局１７１０とモバイルデバイス１７５０とに実質的に類似しまたは異なるものであり得ることを了解されたい。加えて、基地局１７１０および／またはモバイルデバイス１７５０が、その間のワイヤレス通信を容易にするために本明細書で説明されるシステム（図１〜８および１３〜１６）および／または方法（図９〜１２）を使用できることを了解されたい。
【００８７】
基地局１７１０では、複数のデータストリームのトラフィックデータが、データソース１７１２から送信（ＴＸ）データプロセッサ１７１４に提供される。一例によれば、各データストリームを、それぞれのアンテナを介して送信できる。ＴＸデータプロセッサ１７１４は、コーディングされたデータを提供するためにトラフィックデータストリームについて選択された特定のコーディング方式に基づいて、このデータストリームをフォーマットし、コーディングし、インターリーブする。
【００８８】
各データストリームのコーディングされたデータを、直交周波数分割多重（ＯＦＤＭ）技法を使用してパイロットデータと多重化できる。それに加えてまたはその代わりに、パイロットシンボルを、周波数分割多重化（ＦＤＭ）し、時分割多重化（ＴＤＭ）し、または符号分割多重化（ＣＤＭ）できる。パイロットデータは、通常、既知の形で処理され、チャネル応答を推定するためにモバイルデバイス１７５０で使用され得る、既知のデータパターンである。各データストリームの多重化されたパイロットデータおよびコーディングされたデータを、変調シンボルを提供するためにこのデータストリームについて選択された特定の変調方式（例えば、ｂｉｎａｒｙ  ｐｈａｓｅ−ｓｈｉｆｔ  ｋｅｙｉｎｇ（ＢＰＳＫ）、ｑｕａｄｒａｔｕｒｅ  ｐｈａｓｅ−ｓｈｉｆｔ  ｋｅｙｉｎｇ（ＱＰＳＫ）、Ｍ−ｐｈａｓｅ−ｓｈｉｆｔ  ｋｅｙｉｎｇ（Ｍ−ＰＳＫ）、Ｍ−ｑｕａｄｒａｔｕｒｅ  ａｍｐｌｉｔｕｄｅ  ｍｏｄｕｌａｔｉｏｎ（Ｍ−ＱＡＭ）など）に基づいて変調する（例えば、シンボルマッピングする）ことができる。各データストリームのデータレートとコーディングと変調とを、プロセッサ１７３０によって実行されまたは提供される命令によって判定できる。
【００８９】
データストリームの変調シンボルは、変調シンボルをさらに処理できる（例えば、ＯＦＤＭのために）ＴＸ  ＭＩＭＯプロセッサ１７２０に提供できる。その後、ＴＸ  ＭＩＭＯプロセッサ１７２０は、ＮＴ個の変調シンボルストリームをＮＴ個の送信器（ＴＭＴＲ）１７２２ａから１７２２ｔに提供する。様々な実施形態で、ＴＸ  ＭＩＭＯプロセッサ１７２０は、データストリームのシンボルと、シンボルがそこから送信されるアンテナとに、ビームフォーミング重みを適用する。
【００９０】
各送信器１７２２は、１つまたは複数のアナログ信号を提供するためにそれぞれのシンボルストリームを受け取り、処理し、さらに、ＭＩＭＯチャネルを介する伝送に適切な変調された信号を提供するためにアナログ信号を条件付ける（例えば、増幅し、フィルタリングし、アップコンバートする）。さらに、送信器１７２２ａから１７２２ｔからのＮＴ個の変調された信号は、それぞれＮＴ個のアンテナ１７２４ａから１７２４ｔから送信される。
【００９１】
モバイルデバイス１７５０では、送信された変調された信号が、ＮＲ個のアンテナ１７５２ａから１７５２ｒによって受信され、各アンテナ１７５２からの受信された信号が、それぞれの受信器（ＲＣＶＲ）１７５４ａから１７５４ｒに提供される。各受信器１７５４は、それぞれの信号を条件付け（例えば、フィルタリングし、増幅し、ダウンコンバートし）、サンプルを提供するために条件付けられた信号をディジタル化し、さらに、対応する「受信された」シンボルストリームを提供するためにサンプルを処理する。
【００９２】
ＲＸデータプロセッサ１７６０は、ＮＴ個の「検出された」シンボルストリームを提供するために、特定の受信器処理技法に基づいて、ＮＲ個の受信されたシンボルストリームをＮＲ個の受信器１７５４から受け取り、処理する。ＲＸデータプロセッサ１７６０は、データストリームのトラフィックデータを回復するために、各検出されたシンボルストリームを復調し、デインターリーブし、復号できる。ＲＸデータプロセッサ１７６０による処理は、基地局１７１０でＴＸ  ＭＩＭＯプロセッサ１７２０とＴＸデータプロセッサ１７１４とによって実行される処理に相補的である。
【００９３】
プロセッサ１７７０は、上で述べたように、利用すべきプリコーディング行列を周期的に判定できる。さらに、プロセッサ１７７０は、行列インデックス部分とランク値部分とを備える逆方向リンクメッセージを定式化できる。
【００９４】
逆方向リンクメッセージは、通信リンクおよび／または受信されたデータストリームに関する様々なタイプの情報を備えることができる。逆方向リンクメッセージを、データソース１７３６から複数のデータストリームのトラフィックデータをも受け取るＴＸデータプロセッサ１７３８によって処理し、変調器１７８０によって変調し、送信器１７５４ａから１７５４ｒによって条件付け、基地局１７１０に戻って送信できる。
【００９５】
基地局１７１０では、モバイルデバイス１７５０からの変調された信号が、アンテナ１７２４によって受信され、受信器１７２２によって条件付けられ、復調器１７４０によって復調され、ＲＸデータプロセッサ１７４２によって処理されて、モバイルデバイス１７５０によって送信された逆方向リンクメッセージが抽出される。さらに、プロセッサ１７３０は、ビームフォーミング重みを判定するために使用すべきプリコーディング行列を判定するために、抽出されたメッセージを処理できる。
【００９６】
プロセッサ１７３０と１７７０とは、それぞれ基地局１７１０とモバイルデバイス１７５０とでの動作を指示できる（例えば、制御し、調整し、管理するなど）。それぞれのプロセッサ１７３０と１７７０とは、プログラムコードとデータとを格納するメモリ１７３２と１７７２とに関連することができる。プロセッサ１７３０と１７７０とは、それぞれ、アップリンクとダウンリンクとの周波数応答推定値とインパルス応答推定値とを導出するための計算を実行することもできる。
【００９７】
本明細書で開示される実施形態に関連して説明される様々な例示的な論理と、論理ブロックと、モジュールと、回路とを、本明細書で説明される機能を実行するように設計された、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェアコンポーネント、またはこれらの任意の組合せを用いて実施しまたは実行できる。汎用プロセッサは、マイクロプロセッサであり得るが、代替案では、プロセッサが、任意の従来のプロセッサ、コントローラ、マイクロコントローラ、または状態機械であり得る。プロセッサを、コンピューティングデバイスの組合せ、例えば、ＤＳＰとマイクロプロセッサとの組合せ、複数のマイクロプロセッサ、ＤＳＰコアに関連する１つもしくは複数のマイクロプロセッサ、または任意の他のそのような構成として実施することもできる。さらに、少なくとも１つプロセッサは、上で説明したステップおよび／またはアクションのうちの１つまたは複数を実行するように動作可能な１つまたは複数のモジュールを備えることができる。
【００９８】
さらに、本明細書で開示される態様に関連して説明される方法またはアルゴリズムのステップおよび／またはアクションを、ハードウェアで直接に、プロセッサによって実行されるソフトウェアモジュールで、またはこの２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の任意のその他の記憶媒体に存在できる。例示的な記憶媒体を、プロセッサが記憶媒体から情報を読み取り、記憶媒体に情報を書き込むことができるように、プロセッサに結合できる。代替案では、記憶媒体が、プロセッサに一体であり得る。さらに、いくつかの態様では、プロセッサと記憶媒体とが、１つのＡＳＩＣ内に存在できる。さらに、このＡＳＩＣが、ユーザ端末内に存在できる。代替案では、プロセッサと記憶媒体とが、ユーザ端末内にディスクリートコンポーネントとして存在できる。さらに、いくつかの態様では、方法またはアルゴリズムのステップおよび／またはアクションが、コンピュータプログラム製品に組み込まれ得る機械可読媒体および／またはコンピュータ可読媒体上のコードおよび／または命令の１つまたは任意の組合せもしくはセットとして存在できる。
【００９９】
１つまたは複数の態様で、説明される機能を、ハードウェア、ソフトウェア、ファームウェア、またはこれらの任意の組合せで実施できる。ソフトウェアで実施される場合に、機能を、コンピュータ可読媒体上の１つまたは複数の命令またはコードとして格納し、あるいは送信できる。コンピュータ可読媒体は、コンピュータ記憶媒体と、ある場所から別の場所へのコンピュータプログラムの転送を容易にする全ての媒体を含む通信媒体との両方を含む。記憶媒体は、コンピュータによってアクセスできる全ての使用可能な媒体であり得る。限定ではなく例として、このようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形で所望のプログラムコードを担持しまたは格納するのに使用でき、コンピュータによってアクセスできる任意の他の媒体を備えることができる。また、全ての接続を、コンピュータ可読媒体と呼ぶことができる。例えば、ソフトウェアが、ウェブサイト、サーバ、または他のリモートソースから同軸ケーブル、光ファイバケーブル、より対線、ディジタル加入者回線（ＤＳＬ）、または赤外線、無線、およびマイクロ波などのワイヤレス技術を使用して送信される場合に、同軸ケーブル、光ファイバケーブル、より対線、ＤＳＬ、または赤外線、無線、およびマイクロ波などのワイヤレス技術は、媒体の定義に含まれる。ディスク（ｄｉｓｋ  ａｎｄ  ｄｉｓｃ）は、本明細書で使用される時に、コンパクトディスク（ｄｉｓｃ）（ＣＤ）と、レーザディスク（登録商標）（ｄｉｓｃ）と、光ディスク（ｄｉｓｃ）と、ディジタル多用途ディスク（ｄｉｓｃ）（ＤＶＤ）と、フロッピ（登録商標）ディスク（ｄｉｓｋ）と、ブルーレイディスク（ｄｉｓｃ）とを含み、ｄｉｓｋは、通常はデータを磁気的に再生し、ｄｉｓｃは、通常はレーザを用いてデータを光学的に再生する。上記の組合せも、コンピュータ可読媒体の範囲に含まれなければならない。
【０１００】
前述の開示は、例示的な態様および／または実施形態を議論するものであるが、添付の特許請求の範囲によって定義される説明された態様および／または実施形態の範囲から逸脱せずに様々な変更および修正をここで行えることに留意されたい。さらに、説明された態様および／または実施形態の要素が、単数で説明されまたは請求される場合があるが、単数への限定が明示的に述べられない限り、複数が意図されている。さらに、そうではないと述べられない限り、任意の態様および／または実施形態の全てまたは一部を、任意の他の態様および／または実施形態の全てまたは一部と共に利用できる。
【図１】
2014222915.tif 000003
【図２】
2014222915.tif 000004
【図３】
2014222915.tif 000005
【図４】
2014222915.tif 000006
【図５】
2014222915.tif 000007
【図６】
2014222915.tif 000008
【図７】
2014222915.tif 000009
【図８】
2014222915.tif 000010
【図９】
2014222915.tif 000011
【図１０】
2014222915.tif 000012
【図１１】
2014222915.tif 000013
【図１２】
2014222915.tif 000014
【図１３】
2014222915.tif 000015
【図１４】
2014222915.tif 000016
【図１５】
2014222915.tif 000017
【図１６】
2014222915.tif 000018
【図１７】
2014222915.tif 000019
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
ベアラ変更手順に少なくとも部分的に基づいてゲートウェイに１つまたは複数の変更されたポリシルールを提供することと、
前記ゲートウェイが前記１つまたは複数の変更されたポリシルールをインストールする前記ベアラ変更手順を成功裡に完了するかどうかを判定することと、
前記ゲートウェイが前記ベアラ変更手順を成功裡に完了するかどうかの前記判定に少なくとも部分的に基づいて前記１つまたは複数の変更されたポリシルールあるいは１つまたは複数の以前のポリシルールを利用することとを備える方法。
【手続補正２】
【補正対象書類名】明細書
【補正対象項目名】０１００
【補正方法】変更
【補正の内容】
【０１００】
前述の開示は、例示的な態様および／または実施形態を議論するものであるが、添付の特許請求の範囲によって定義される説明された態様および／または実施形態の範囲から逸脱せずに様々な変更および修正をここで行えることに留意されたい。さらに、説明された態様および／または実施形態の要素が、単数で説明されまたは請求される場合があるが、単数への限定が明示的に述べられない限り、複数が意図されている。さらに、そうではないと述べられない限り、任意の態様および／または実施形態の全てまたは一部を、任意の他の態様および／または実施形態の全てまたは一部と共に利用できる。
以下に本願出願当初の特許請求の範囲を付記する。
［Ｃ１］  ベアラ変更手順に少なくとも部分的に基づいてゲートウェイに１つまたは複数の変更されたポリシルールを提供することと、
前記ゲートウェイが前記１つまたは複数の変更されたポリシルールをインストールする前記ベアラ変更手順を成功裡に完了するかどうかを判定することと、
前記ゲートウェイが前記ベアラ変更手順を成功裡に完了するかどうかの前記判定に少なくとも部分的に基づいて前記１つまたは複数の変更されたポリシルールあるいは１つまたは複数の以前のポリシルールを利用することとを備える方法。
［Ｃ２］  前記１つまたは複数の変更されたポリシルールを要求する前記ゲートウェイからのクレジット制御要求（ＣＣＲ）を受信することをさらに備え、前記１つまたは複数の変更されたポリシルールの前記提供はクレジット制御回答（ＣＣＡ）で前記ゲートウェイに前記１つまたは複数のポリシルールを通信することを含む、Ｃ１に記載の方法。
［Ｃ３］  前記ゲートウェイで前記１つまたは複数の変更されたポリシルールをインストールすることに関係する前記ゲートウェイからの異種ＣＣＲを受信することをさらに備え、前記判定は前記異種ＣＣＲに少なくとも部分的に基づく、Ｃ２に記載の方法。
［Ｃ４］  前記異種ＣＣＲは前記１つまたは複数の以前のポリシルールを含む、Ｃ３に記載の方法。
［Ｃ５］  前記ゲートウェイに前記１つまたは複数の変更されたポリシルールを提供する時にタイマを初期化することをさらに備え、前記判定はクレジット制御要求ＣＣＲが前記タイマの満了の前に前記ゲートウェイでの前記１つまたは複数の変更されたポリシルールの受信に応答して前記ゲートウェイから受信されるかどうかを判定することに少なくとも部分的に基づく、Ｃ１に記載の方法。
［Ｃ６］  アプリケーション機能から新規サービス情報を受信することと、
前記新規サービス情報に少なくとも部分的に基づいて前記１つまたは複数の変更されたポリシルールを生成することとをさらに備える、Ｃ１に記載の方法。
［Ｃ７］  前記１つまたは複数の変更されたポリシルールが前記ゲートウェイでインストールに失敗したことを前記アプリケーション機能に通知することをさらに備え、前記判定は前記ゲートウェイが前記ベアラ変更手順を成功裡に完了しなかったことを判定することを含み、前記利用は前記１つまたは複数の以前のポリシルールを利用することを含む、Ｃ６に記載の方法。
［Ｃ８］  前記ベアラ変更手順が失敗する場合に実行すべき１つまたは複数のアクションを指定するルール挙動インジケータを前記アプリケーション機能から受信することをさらに備える、Ｃ７に記載の方法。
［Ｃ９］  前記ルール挙動インジケータを前記ゲートウェイに提供することをさらに備える、Ｃ８に記載の方法。
［Ｃ１０］  前記ルール挙動インジケータは、前記ベアラ変更手順が失敗する場合に前記変更されたルールの以前のバージョンに戻ることまたは前記変更されたルールの前記以前のバージョンを解放することを指定する、Ｃ８に記載の方法。
［Ｃ１１］  前記利用は、前記１つまたは複数の以前のポリシルールを利用することを含み、前記判定は前記ゲートウェイが前記ベアラ変更手順を成功裡に完了しなかったことを判定することを含む、Ｃ１に記載の方法。
［Ｃ１２］  前記１つまたは複数の以前のポリシルールを除去することをさらに備え、前記判定は前記ゲートウェイが前記ベアラ変更手順を成功裡に完了したことを判定することを含む、Ｃ１に記載の方法。
［Ｃ１３］  ベアラ変更手順に少なくとも部分的に基づいてゲートウェイに１つまたは複数の変更されたポリシルールを通信し、
前記ゲートウェイが成功裡に前記１つまたは複数の変更されたポリシルールをインストールし前記ベアラ変更手順を完了するかどうかを判定し、
前記ゲートウェイが成功裡に前記１つまたは複数の変更されたポリシルールをインストールし前記ベアラ変更手順を完了するかどうかに少なくとも部分的に基づいて、前記１つまたは複数の変更されたポリシルールあるいは１つまたは複数の以前のポリシルールを利用するように構成される少なくとも１つのプロセッサと、
前記少なくとも１つのプロセッサに結合されたメモリとを備えるワイヤレス通信装置。
［Ｃ１４］  ベアラ変更手順に少なくとも部分的に基づいてゲートウェイに１つまたは複数の変更されたポリシルールを提供するための手段と、
前記ゲートウェイが前記１つまたは複数の変更されたポリシルールをインストールする前記ベアラ変更手順を成功裡に完了するかどうかを判定するための手段と、
１つまたは複数の以前のポリシルールに戻るための手段とを備え、判定するための前記手段は前記ゲートウェイが前記ベアラ変更手順を成功裡に完了しなかったと判定する、装置。
［Ｃ１５］  ベアラ変更手順に少なくとも部分的に基づいてゲートウェイに１つまたは複数の変更されたポリシルールを通信することを少なくとも１つのコンピュータに行わせるコードと、
前記ゲートウェイが成功裡に前記１つまたは複数の変更されたポリシルールをインストールし前記ベアラ変更手順を完了するかどうかを判定することを前記少なくとも１つのコンピュータに行わせるコードと、
前記ゲートウェイが成功裡に前記１つまたは複数の変更されたポリシルールをインストールし前記ベアラ変更手順を完了するかどうかに少なくとも部分的に基づいて、前記１つまたは複数の変更されたポリシルールあるいは１つまたは複数の以前のポリシルールを利用することを前記少なくとも１つのコンピュータに行わせるコードとを備えるコンピュータ可読媒体を備えるコンピュータプログラム製品。
［Ｃ１６］  ベアラ変更手順に少なくとも部分的に基づいてゲートウェイに１つまたは複数の変更されたポリシルールを提供するルール提供コンポーネントと、
前記ゲートウェイが前記１つまたは複数の変更されたポリシルールをインストールする前記ベアラ変更手順を成功裡に完了するかどうかを判定する変更状況受信コンポーネントと、
１つまたは複数の以前のポリシルールに戻るルール戻しコンポーネントとを備え、前記変更状況受信コンポーネントは、前記ゲートウェイが前記ベアラ変更手順を成功裡に完了しなかったと判定する、装置。
［Ｃ１７］  前記ルール提供コンポーネントは、前記ベアラ変更手順の一部として前記ゲートウェイから受信されるクレジット制御要求（ＣＣＲ）に少なくとも部分的に基づいてクレジット制御回答（ＣＣＡ）内で前記ゲートウェイに前記１つまたは複数のポリシルールを提供する、Ｃ１６に記載の装置。
［Ｃ１８］  前記変更状況受信コンポーネントは、前記ゲートウェイでの前記１つまたは複数の変更されたポリシルールのインストールに関係する前記ゲートウェイからの異種ＣＣＲを入手し、前記異種ＣＣＲに少なくとも部分的に基づいて前記ゲートウェイが前記１つまたは複数の変更されたポリシルールをインストールする前記ベアラ変更手順を成功裡に完了するかどうかを判定する、Ｃ１７に記載の装置。
［Ｃ１９］  前記異種ＣＣＲは前記１つまたは複数の以前のポリシルールを含む、Ｃ１８に記載の装置。
［Ｃ２０］  前記変更状況受信コンポーネントは、ルール更新コンポーネントが前記１つまたは複数の変更されたポリシルールを前記ゲートウェイに提供する時にタイマを初期化し、クレジット制御要求（ＣＣＲ）が前記タイマの満了の前に受信されるかどうかに少なくとも部分的に基づいて前記ゲートウェイが前記１つまたは複数の変更されたポリシルールをインストールする前記ベアラ変更手順を成功裡に完了するかどうかを判定する、Ｃ１６に記載の装置。
［Ｃ２１］  アプリケーション機能から新規サービス情報を入手する新規サービス受信コンポーネントをさらに備え、前記ルール更新コンポーネントは、前記新規サービス情報に少なくとも部分的に基づいて前記１つまたは複数の変更されたポリシルールを生成する、Ｃ１６に記載の装置。
［Ｃ２２］  前記１つまたは複数の変更されたポリシルールのインストールが失敗する時に、前記アプリケーション機能に通知する変更状況通信コンポーネントをさらに備え、前記変更状況受信コンポーネントは、前記失敗の時に、前記ゲートウェイが前記ベアラ変更手順を成功裡に完了しなかったと判定する、Ｃ２１に記載の装置。
［Ｃ２３］  前記ベアラ変更手順が失敗する場合に実行すべき１つまたは複数のアクションを指定するルール挙動インジケータを前記アプリケーション機能から入手するルール挙動受信コンポーネントをさらに備える、Ｃ１６に記載の装置。
［Ｃ２４］  前記ルール挙動インジケータを前記ゲートウェイに通信するルール挙動指定コンポーネントをさらに備える、Ｃ２３に記載の装置。
［Ｃ２５］  前記ルール挙動インジケータは、前記ベアラ変更手順が失敗する場合に前記変更されたルールの以前のバージョンに戻ることまたは前記変更されたルールの前記以前のバージョンを解放することを指定する、Ｃ２４に記載の装置。
［Ｃ２６］  前記ルール戻しコンポーネントは、前記ゲートウェイが前記ベアラ変更手順を成功裡に完了したと判定する前記変更状況受信コンポーネントに少なくとも部分的に基づいて、前記１つまたは複数の以前のポリシルールを除去する、Ｃ１６に記載の装置。
［Ｃ２７］  ベアラ変更手順に少なくとも部分的に基づいてポリシ課金およびルール機能（ＰＣＲＦ）から１つまたは複数の変更されたポリシルールを受信することと、
前記ベアラ変更手順の一部として前記１つまたは複数の変更されたポリシルールをインストールすることを試みることと、
前記ベアラ変更手順が成功裡に完了したかどうかを示すために前記ＰＣＲＦにクレジット制御要求（ＣＣＲ）を送信することとを備える方法。
［Ｃ２８］  前記ベアラ変更手順の一部としてルール変更を要求するために前記ＰＣＲＦに異種ＣＣＲを送信することをさらに備え、前記１つまたは複数の変更されたポリシルールの前記受信は、対応するクレジット制御回答（ＣＣＡ）内で前記１つまたは複数の変更されたポリシルールを受信することを含む、Ｃ２７に記載の方法。
［Ｃ２９］  １つまたは複数の以前のポリシルールを含めるために前記ＣＣＲを生成することをさらに備える、Ｃ２７に記載の方法。
［Ｃ３０］  前記ベアラ変更手順が失敗する場合に実行すべき１つまたは複数のアクションを指定するルール挙動インジケータを受信することをさらに備える、Ｃ２７に記載の方法。
［Ｃ３１］  ベアラ変更手順に少なくとも部分的に基づいてポリシ課金およびルール機能（ＰＣＲＦ）から１つまたは複数の変更されたポリシルールを入手し、
前記ベアラ変更手順の一部として前記１つまたは複数の変更されたポリシルールをインストールし、
前記ベアラ変更手順が成功裡に完了したかどうかを示すために前記ＰＣＲＦにクレジット制御要求（ＣＣＲ）を送信するように構成された少なくとも１つのプロセッサと、
前記少なくとも１つのプロセッサに結合されたメモリとを備えるワイヤレス通信装置。
［Ｃ３２］  ベアラ変更手順に少なくとも部分的に基づいてポリシ課金およびルール機能（ＰＣＲＦ）から１つまたは複数の変更されたポリシルールを受信するための手段と、
前記ベアラ変更手順の一部として前記１つまたは複数の変更されたポリシルールをインストールすることを試みるための手段と、
前記ベアラ変更手順が成功裡に完了したかどうかを示すために前記ＰＣＲＦにクレジット制御要求（ＣＣＲ）を送信するための手段とを備える装置。
［Ｃ３３］  ベアラ変更手順に少なくとも部分的に基づいてポリシ課金およびルール機能（ＰＣＲＦ）から１つまたは複数の変更されたポリシルールを入手することを少なくとも１つのコンピュータに行わせるコードと、
前記ベアラ変更手順の一部として前記１つまたは複数の変更されたポリシルールをインストールすることを前記少なくとも１つのコンピュータに行わせるコードと、
前記ベアラ変更手順が成功裡に完了したかどうかを示すために前記ＰＣＲＦにクレジット制御要求（ＣＣＲ）を送信することを前記少なくとも１つのコンピュータに行わせるコードとを備えるコンピュータ可読媒体を備えるコンピュータプログラム製品。
［Ｃ３４］  ベアラ変更手順に少なくとも部分的に基づいてポリシ課金およびルール機能（ＰＣＲＦ）から１つまたは複数の変更されたポリシルールを入手するルール受信コンポーネントと、
前記ベアラ変更手順の一部として前記１つまたは複数の変更されたポリシルールをインストールすることを試みるルール変更コンポーネントと、
前記ベアラ変更手順が成功裡に完了したかどうかを示すために前記ＰＣＲＦにクレジット制御要求（ＣＣＲ）を送信する変更状況通信コンポーネントとを備える装置。
［Ｃ３５］  前記ルール受信コンポーネントは、ルール変更を要求する異種ＣＣＲに応答してクレジット制御回答（ＣＣＡ）内で前記１つまたは複数の変更されたポリシルールを受信する、Ｃ３４に記載の装置。
［Ｃ３６］  前記変更状況通信コンポーネントは、１つまたは複数の以前のポリシルールを含めるために前記ＣＣＲを生成する、Ｃ３４に記載の装置。
［Ｃ３７］  前記ベアラ変更手順が失敗する場合に実行すべき１つまたは複数のアクションを指定するルール挙動インジケータを入手するルール挙動受信コンポーネントをさらに備える、Ｃ３４に記載の装置。
［Ｃ３８］  デバイスから追加サービスまたは変更されたサービスに関する要求を受信することと、
前記要求に少なくとも部分的に基づいてポリシ課金およびルール機能（ＰＣＲＦ）の新規サービス情報を生成することと、
前記新規サービス情報に関係するベアラ変更手順が失敗する場合に行うべき１つまたは複数のアクションを指定するルール挙動インジケータと一緒に前記ＰＣＲＦに前記新規サービス情報を送信することとを備える方法。
［Ｃ３９］  前記ルール挙動インジケータは、前記ベアラ変更手順が失敗する場合に１つまたは複数の以前のポリシルールに戻ることを指定する、Ｃ３８に記載の方法。
［Ｃ４０］  前記ルール挙動インジケータは、前記ベアラ変更手順が失敗する場合に１つまたは複数の以前のポリシルールを解放することを指定する、Ｃ３８に記載の方法。
［Ｃ４１］  デバイスから追加サービスまたは変更されたサービスに関する要求を入手し、
前記要求に関係するリソースを提供することを容易にするためにポリシ課金およびルール機能（ＰＣＲＦ）の新規サービス情報を生成し、
前記新規サービス情報に関係するベアラ変更手順が失敗する場合に実行すべき１つまたは複数のアクションを指定するルール挙動インジケータと共に前記ＰＣＲＦに前記新規サービス情報を送信するように構成される少なくとも１つのプロセッサと、
前記少なくとも１つのプロセッサに結合されたメモリとを備えるワイヤレス通信装置。
［Ｃ４２］  デバイスからの追加サービスまたは変更されたサービスに関する要求に少なくとも部分的に基づいてポリシ課金およびルール機能（ＰＣＲＦ）に新規サービス情報を送信するための手段と、
前記新規サービス情報に関係するベアラ変更手順が失敗する場合に行うべき１つまたは複数のアクションを指定するルール挙動インジケータを前記ＰＣＲＦに送信するための手段とを備える装置。
［Ｃ４３］  デバイスから追加サービスまたは変更されたサービスに関する要求を入手することを少なくとも１つのコンピュータに行わせるコードと、
前記要求に関係するリソースを提供することを容易にするためにポリシ課金およびルール機能（ＰＣＲＦ）の新規サービス情報を生成することを前記少なくとも１つのコンピュータに行わせるコードと、
前記新規サービス情報に関係するベアラ変更手順が失敗する場合に実行すべき１つまたは複数のアクションを指定するルール挙動インジケータと共に前記ＰＣＲＦに前記新規サービス情報を送信することを前記少なくとも１つのコンピュータに行わせるコードと  を備えるコンピュータ可読媒体を備えるコンピュータプログラム製品。
［Ｃ４４］  デバイスからの追加サービスまたは変更されたサービスに関する要求に少なくとも部分的に基づいて、ポリシ課金およびルール機能（ＰＣＲＦ）に新規サービス情報を送信する新規サービス提供コンポーネントと、
前記新規サービス情報に関係するベアラ変更手順が失敗する場合に行うべき１つまたは複数のアクションを指定するルール挙動インジケータを前記ＰＣＲＦに送信するルール挙動指定コンポーネントとを備える装置。
［Ｃ４５］  前記ルール挙動インジケータは、前記ベアラ変更手順が失敗する場合に１つまたは複数の以前のポリシルールに戻ることを指定する、Ｃ４４に記載の装置。
［Ｃ４６］  前記ルール挙動インジケータは、前記ベアラ変更手順が失敗する場合に１つまたは複数の以前のポリシルールを解放することを指定する、Ｃ４４に記載の装置。
【外国語明細書】
2014222915000001.pdf